(57)【要約】  暗騒音の影響を低減しながら、従来よりも少ない手間で部屋の周波数特性を測定できる制御装置を提供する。制御装置は、第１の通信回路とマイクロホンと第１の制御回路とを備える。第１の制御回路は、マイクロホンにより部屋の暗騒音を取得して暗騒音の信号レベルを計算し、第１のテスト信号をスピーカから再生することを指示する第１の制御信号を再生装置に送信し、マイクロホンにより第１のテスト信号を取得してその信号レベルを計算し、第１のテスト信号の信号レベルを基準として第２のテスト信号の信号レベルを推定し、推定した第２のテスト信号の信号レベルから予め決められた値を減算した信号レベルが暗騒音の信号レベル以下であるときに第２のテスト信号の音量の設定値を増大させ、第２のテスト信号をスピーカから再生することを指示する第２の制御信号を再生装置に送信し、マイクロホンにより第２のテスト信号を取得して部屋の周波数応答を計算し、計算した周波数応答に基づいて補正係数を計算し、計算した補正係数を含む第３の制御信号を再生装置に送信する。
2018211908.tif 000002
【特許請求の範囲】
【請求項１】
部屋に設置されたスピーカに接続または一体化された再生装置の周波数特性を制御する制御装置であって、
前記再生装置と通信する第１の通信回路と、
前記スピーカから発生された音声信号を取得するマイクロホンと、
第１の制御回路と、を備え、
前記第１の制御回路は、
前記マイクロホンにより前記部屋の暗騒音を取得し、予め決められた複数の周波数における前記暗騒音の信号レベルを計算し、
予め決められた音量を有する第１のテスト信号を前記スピーカから再生することを指示する第１の制御信号を、前記第１の通信回路を介して前記再生装置に送信し、
前記マイクロホンにより前記第１のテスト信号を取得し、取得した前記第１のテスト信号の信号レベルを計算し、
予め決められた音量および予め決められた周波数特性を有する第２のテスト信号について、前記第１のテスト信号の信号レベルを基準として、前記予め決められた複数の周波数における前記第２のテスト信号の信号レベルを推定し、
前記予め決められた複数の周波数のうちの少なくとも１つの周波数において、推定した前記第２のテスト信号の信号レベルから予め決められた値を減算した信号レベルが前記暗騒音の信号レベル以下であるとき、前記第２のテスト信号の音量の設定値を増大させ、
前記設定値に係る音量を有する前記第２のテスト信号を前記スピーカから再生することを指示する第２の制御信号を、前記第１の通信回路を介して前記再生装置に送信し、
前記マイクロホンにより前記第２のテスト信号を取得し、取得した前記第２のテスト信号に基づいて前記部屋の周波数応答を計算し、計算した前記部屋の周波数応答に基づいて前記再生装置に設定する周波数特性の補正係数を計算し、
前記再生装置に設定する周波数特性の補正係数を含む第３の制御信号を、前記第１の通信回路を介して前記再生装置に送信する、
制御装置。
【請求項２】
前記第１の制御回路は、取得した前記第１のテスト信号の信号レベルが予め決められたしきい値を超えるとき、前記第２のテスト信号の音量の設定値を減少させる、
請求項１に記載の制御装置。
【請求項３】
前記第１のテスト信号は正弦波である、
請求項１または２に記載の制御装置。
【請求項４】
前記第２のテスト信号は、ＬＯＧ−ＴＳＰ（Ｌｏｇ−Ｔｉｍｅ  Ｓｔｒｅｔｃｈｅｄ  Ｐｕｌｓｅ）信号である、
請求項１〜３のいずれか一項に記載の制御装置。
【請求項５】
前記制御装置はスマートホンまたはタブレットコンピュータである、
請求項１〜４のいずれか一項に記載の制御装置。
【請求項６】
部屋に設置されたスピーカに接続または一体化された再生装置と、請求項１〜５のいずれか一項に記載の制御装置と、を含む再生システムであって、
前記再生装置は、
前記制御装置と通信する第２の通信回路と、
可変な周波数特性を有する信号処理回路と、
第２の制御回路と、を備え、
前記第２の制御回路は、
前記第２の通信回路を介して前記制御装置から受信した前記第１の制御信号に応じて、前記第１のテスト信号を前記スピーカから再生し、
前記第２の通信回路を介して前記制御装置から受信した前記第２の制御信号に応じて、前記第２のテスト信号を前記スピーカから再生し、
前記第２の通信回路を介して前記制御装置から受信した前記第３の制御信号に応じて、前記信号処理回路の周波数特性を補正する、
再生システム。
【請求項７】
部屋に設置されたスピーカに接続または一体化された再生装置の周波数特性を、前記再生装置の外部の制御装置により制御する制御方法であって、
前記制御装置は、
前記再生装置と通信する第１の通信回路と、
前記スピーカから発生された音声信号を取得するマイクロホンと、
第１の制御回路と、を備え、
前記制御方法は、
前記マイクロホンにより前記部屋の暗騒音を取得し、予め決められた複数の周波数における前記暗騒音の信号レベルを計算するステップと、
予め決められた音量を有する第１のテスト信号を前記スピーカから再生することを指示する第１の制御信号を、前記第１の通信回路を介して前記再生装置に送信するステップと、
前記マイクロホンにより前記第１のテスト信号を取得し、取得した前記第１のテスト信号の信号レベルを計算するステップと、
予め決められた音量および予め決められた周波数特性を有する第２のテスト信号について、前記第１のテスト信号の信号レベルを基準として、前記予め決められた複数の周波数における前記第２のテスト信号の信号レベルを推定するステップと、
前記予め決められた複数の周波数のうちの少なくとも１つの周波数において、推定した前記第２のテスト信号の信号レベルから予め決められた値を減算した信号レベルが前記暗騒音の信号レベル以下であるとき、前記第２のテスト信号の音量の設定値を増大させるステップと、
前記設定値に係る音量を有する前記第２のテスト信号を前記スピーカから再生することを指示する第２の制御信号を、前記第１の通信回路を介して前記再生装置に送信するステップと、
前記マイクロホンにより前記第２のテスト信号を取得し、取得した前記第２のテスト信号に基づいて前記部屋の周波数応答を計算し、計算した前記部屋の周波数応答に基づいて前記再生装置に設定する周波数特性の補正係数を計算するステップと、
前記再生装置に設定する周波数特性の補正係数を含む第３の制御信号を、前記第１の通信回路を介して前記再生装置に送信するステップと、を含む、
制御方法。
【請求項８】
部屋に設置されたスピーカに接続または一体化された再生装置の周波数特性を制御する制御装置のためのプログラムであって、
前記制御装置は、
前記再生装置と通信する第１の通信回路と、
前記スピーカから発生された音声信号を取得するマイクロホンと、
前記プログラムを実行する第１の制御回路と、を備え、
前記プログラムは、
前記マイクロホンにより前記部屋の暗騒音を取得し、予め決められた複数の周波数における前記暗騒音の信号レベルを計算するステップと、
予め決められた音量を有する第１のテスト信号を前記スピーカから再生することを指示する第１の制御信号を、前記第１の通信回路を介して前記再生装置に送信するステップと、
前記マイクロホンにより前記第１のテスト信号を取得し、取得した前記第１のテスト信号の信号レベルを計算するステップと、
予め決められた音量および予め決められた周波数特性を有する第２のテスト信号について、前記第１のテスト信号の信号レベルを基準として、前記予め決められた複数の周波数における前記第２のテスト信号の信号レベルを推定するステップと、
前記予め決められた複数の周波数のうちの少なくとも１つの周波数において、推定した前記第２のテスト信号の信号レベルから予め決められた値を減算した信号レベルが前記暗騒音の信号レベル以下であるとき、前記第２のテスト信号の音量の設定値を増大させるステップと、
前記設定値に係る音量を有する前記第２のテスト信号を前記スピーカから再生することを指示する第２の制御信号を、前記第１の通信回路を介して前記再生装置に送信するステップと、
前記マイクロホンにより前記第２のテスト信号を取得し、取得した前記第２のテスト信号に基づいて前記部屋の周波数応答を計算し、計算した前記部屋の周波数応答に基づいて前記再生装置に設定する周波数特性の補正係数を計算するステップと、
前記再生装置に設定する周波数特性の補正係数を含む第３の制御信号を、前記第１の通信回路を介して前記再生装置に送信するステップと、を含む、
プログラム。
【発明の詳細な説明】
【技術分野】
【０００１】
本開示は、所定の音響特性を有する部屋に設置されたスピーカに接続または一体化された再生装置の周波数特性を制御する制御装置、再生装置および制御装置を含む再生システム、再生装置のための制御方法、および制御装置のためのプログラムに関する。
【背景技術】
【０００２】
音楽等の音声信号を再生するオーディオ機器は、一般的には、家屋の室内に設置されて使用される。オーディオ機器は、例えば、ＣＤ（Ｃｏｍｐａｃｔ  Ｄｉｓｃ）プレーヤ、メディアサーバ装置、および増幅器等のうちの単数または複数を備えた再生装置と、スピーカと、を含む。オーディオ機器が設置された部屋では、部屋の間取り、家具の形状および配置位置、等に応じてスピーカの配置位置が制限されたり、あるいはオーディオ機器で再生される音を聴くユーザの位置が変化したりする。そして、部屋の間取りおよび家具の形状および配置位置等に応じて、スピーカから出力されてユーザの耳に届く音の音響特性、例えば周波数特性、は変化する。【０００３】
オーディオ機器によって音声信号を再生するとき、オーディオ機器が設置された部屋におけるスピーカの配置位置、およびオーディオ機器で再生される音を聴くユーザの位置、等による音への影響を抑えて、オーディオ機器において意図された音をユーザに提供できることが望ましい。しかし、オーディオ機器が設置された部屋の間取りおよび家具等によって、本来の意図された音を再現できない場合がある。【０００４】
既知の特性を有する測定専用のマイクロホンを用いて部屋の周波数特性を測定し、意図された音がユーザに到達するように、部屋の周波数特性に基づいて再生装置の周波数特性を補正する技術が開示されている。周波数特性の測定には、周波数解析等の演算処理が必要である。このような演算処理を実行するための高性能なＤＳＰ（Ｄｉｇｉｔａｌ  Ｓｉｇｎａｌ  Ｐｒｏｃｅｓｓｏｒ）を内蔵するＡＶ（Ａｕｄｉｏ  Ｖｉｄｅｏ）アンプが実用化されている。【０００５】
例えば、特許文献１は、音響機器、音響空間、電気信号の伝送線路等の、被測定系の伝達特性を測定するためのインパルス応答測定方法および装置を開示している。
【先行技術文献】
【特許文献】
【０００６】
【特許文献１】日本国特許第５５４０２２４号公報
【発明の概要】
【０００７】
測定専用のマイクロホンを用いて部屋の周波数特性を測定する場合、ユーザは、オーディオ機器を使用する度にそのマイクロホンを準備しなければならず、手間がかかる。そのため、部屋の周波数特性を、より少ない手間で測定できる技術が求められている。
【０００８】
また、部屋の周波数特性を測定するためのテスト信号の信号レベルが部屋の暗騒音の信号レベルよりも十分に高くない場合、部屋の周波数特性を測定する精度が低下する可能性がある。したがって、部屋の暗騒音の影響を受けにくい測定方法が求められている。
【０００９】
本開示は、部屋の暗騒音の影響を低減しながら、従来よりも少ない手間で部屋の周波数特性を測定し、再生装置の周波数特性を制御する制御装置、再生装置および制御装置を含む再生システム、再生装置のための制御方法、および制御装置のためのプログラムを提供する。
【００１０】
本開示の一態様に係る制御装置は、部屋に設置されたスピーカに接続または一体化された再生装置の周波数特性を制御する制御装置である。その制御装置は、前記再生装置と通信する第１の通信回路と、前記スピーカから発生された音声信号を取得するマイクロホンと、第１の制御回路と、を備える。前記第１の制御回路は、前記マイクロホンにより前記部屋の暗騒音を取得し、予め決められた複数の周波数における前記暗騒音の信号レベルを計算し、予め決められた音量を有する第１のテスト信号を前記スピーカから再生することを指示する第１の制御信号を、前記第１の通信回路を介して前記再生装置に送信し、前記マイクロホンにより前記第１のテスト信号を取得し、取得した前記第１のテスト信号の信号レベルを計算し、予め決められた音量および予め決められた周波数特性を有する第２のテスト信号について、前記第１のテスト信号の信号レベルを基準として、前記予め決められた複数の周波数における前記第２のテスト信号の信号レベルを推定し、前記予め決められた複数の周波数のうちの少なくとも１つの周波数において、推定した前記第２のテスト信号の信号レベルから予め決められた値を減算した信号レベルが前記暗騒音の信号レベル以下であるとき、前記第２のテスト信号の音量の設定値を増大させ、前記設定値に係る音量を有する前記第２のテスト信号を前記スピーカから再生することを指示する第２の制御信号を、前記第１の通信回路を介して前記再生装置に送信し、前記マイクロホンにより前記第２のテスト信号を取得し、取得した前記第２のテスト信号に基づいて前記部屋の周波数応答を計算し、計算した前記部屋の周波数応答に基づいて前記再生装置に設定する周波数特性の補正係数を計算し、前記再生装置に設定する周波数特性の補正係数を含む第３の制御信号を、前記第１の通信回路を介して前記再生装置に送信する。
【００１１】
本開示によれば、第１のテスト信号を用いて第２のテスト信号の再生音量を調整することにより、部屋の暗騒音の影響を低減しながら部屋の周波数特性を測定することができる。本開示によれば、測定専用のマイクロホン等の測定機器を用いずとも、スマートホン等のような、マイクロホンを備えた任意の汎用の装置を制御装置として用いることができるので、従来よりも少ない手間で部屋の周波数特性を測定し、再生装置の周波数特性を制御することができる。
【図面の簡単な説明】
【００１２】
【図１】図１は、実施の形態１における再生装置および制御装置を含む再生システムの構成の一例を模式的に示すブロック図である。
【図２】図２は、実施の形態１における再生システムを使用可能な環境の一例を模式的に示す図である。
【図３】図３は、実施の形態１における再生装置および制御装置によって使用される第１のテスト信号および第２のテスト信号の一例を説明するためのグラフである。
【図４】図４は、実施の形態１における再生装置および制御装置によって使用可能な第２のテスト信号の一例を示すグラフである。
【図５】図５は、第２のテスト信号との比較例を示すグラフである。
【図６】図６は、実施の形態１における制御装置のプロセッサによって実行される音響補正処理の一例を示すフローチャートである。
【図７】図７は、図６に示した前置処理（ステップＳ１）のサブルーチンの一例を示すフローチャートである。
【図８】図８は、図６に示した暗騒音測定処理（ステップＳ２）のサブルーチンの一例を示すフローチャートである。
【図９】図９は、図６に示した再生音量調整処理（ステップＳ３）のサブルーチンの第１の部分の一例を示すフローチャートである。
【図１０】図１０は、図６に示した再生音量調整処理（ステップＳ３）のサブルーチンの第２の部分の一例を示すフローチャートである。
【図１１】図１１は、図６に示した周波数特性測定処理（ステップＳ４）のサブルーチンの一例を示すフローチャートである。
【図１２】図１２は、図６に示した補正係数設定処理（ステップＳ５）のサブルーチンの一例を示すフローチャートである。
【図１３】図１３は、図６に示したステップＳ１〜ステップＳ３を実行するときの、実施の形態１における再生装置と制御装置との間で行われる通信の一例を示すシーケンス図である。
【図１４】図１４は、図６に示したステップＳ４およびステップＳ５を実行するときの、実施の形態１における再生装置と制御装置との間で行われる通信の一例を示すシーケンス図である。
【図１５】図１５は、図１１に示したステップＳ５７で実行される同期加算平均を説明するための図である。
【図１６】図１６は、図６に示した周波数特性測定処理（ステップＳ４）で計算された補正係数を再生装置に設定する前の、補正の目標とする周波数特性の一例と、測定された周波数特性の一例とを模式的に示すグラフである。
【図１７】図１７は、図６に示した周波数特性測定処理（ステップＳ４）で計算された補正係数を再生装置に設定した後の、補正の目標とする周波数特性の一例と、測定された周波数特性の一例とを模式的に示すグラフである。
【図１８】図１８は、実施の形態１における制御装置で測定された暗騒音の信号レベルの一例を示すグラフである。
【図１９】図１９は、実施の形態１における制御装置で測定された第２のテスト信号の信号レベルの一例を示すグラフである。
【図２０】図２０は、実施の形態１における制御装置で測定された第１のテスト信号、第２のテスト信号、および暗騒音の信号レベルの一例を示すグラフである。
【図２１】図２１は、実施の形態１における制御装置で測定された暗騒音の信号レベルの他の一例を示すグラフである。
【図２２】図２２は、実施の形態１における制御装置で測定された第２のテスト信号の信号レベルの他の一例を示すグラフである。
【図２３】図２３は、実施の形態１における制御装置で測定された第１のテスト信号、第２のテスト信号、および暗騒音の信号レベルの他の一例を示すグラフである。
【発明を実施するための形態】
【００１３】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００１４】
なお、添付図面および以下で説明する実施の形態は、当業者が本開示を十分に理解するために提供されるのであって、いずれも本開示の一例を示すものである。以下の実施の形態で示される数値、形状、材料、構成要素、構成要素の配置位置および接続形態、等は、一例であり、これらにより特許請求の範囲に記載の主題を限定することは意図されていない。また、以下の実施の形態における構成要素のうち、最上位概念を示す独立請求項に記載されていない構成要素は、独立請求項に示された構成要素に任意に付加可能な構成要素である。
【００１５】
また、各図は、必ずしも厳密に図示されたものではなく、本開示をわかりやすく示すために適宜省略等を行った模式図である。また、各図において、実質的に同じ構成要素については同じ符号を付し、説明を省略または簡略化する場合がある。
【００１６】
（実施の形態１）
以下、図１〜図２３を参照して、本開示の実施の形態１に係る再生装置、制御装置、およびプログラムについて説明する。
【００１７】
［１−１．構成］
図１は、実施の形態１における再生装置１０および制御装置２０を含む再生システム３０の構成の一例を模式的に示すブロック図である。
【００１８】
再生システム３０が、ある部屋の中に設置されるとき、その部屋には、再生システム３０に含まれる再生装置１０、再生装置１０に接続されたスピーカ１８、および制御装置２０が設置される。
【００１９】
制御装置２０は、例えば、スマートホン、またはタブレットコンピュータ等の、ユーザが携帯可能な端末装置であり、制御装置２０を所持するユーザの近傍に配置される。ユーザは、スピーカ１８から再生される音楽等の音声信号を聴取するときにユーザが所望する任意の位置にいるため、制御装置２０もその位置の近傍に配置される。
【００２０】
本実施の形態において、制御装置２０は、その部屋に設置された再生装置１０を制御して、再生装置１０に接続または一体化されたスピーカ１８から再生される音の周波数特性を制御する。以下では、制御装置２０としてスマートホンが使用される構成例を説明する。
【００２１】
再生装置１０は、記憶装置１１、プロセッサ１２、通信回路１３、アンテナ１４、ソース装置１５、ＤＳＰ（Ｄｉｇｉｔａｌ  Ｓｉｇｎａｌ  Ｐｒｏｃｅｓｓｏｒ）１６、およびデジタル／アナログ変換器（Ｄ／Ａ）１７を備える。
【００２２】
記憶装置１１は、ＤＳＰ１６のための設定値等を記憶する。記憶装置１１は、例えばフラッシュメモリ等の不揮発性の記憶媒体である。
【００２３】
プロセッサ１２は、再生装置１０の全体の動作を制御する制御回路である。
【００２４】
通信回路１３は、アンテナ１４を介して制御装置２０と無線通信する。
【００２５】
ソース装置１５は、音楽等の音声信号（デジタルの音声信号）の発生源であり、プロセッサ１２の制御下で動作する。
【００２６】
ＤＳＰ１６は、ＤＳＰ１６に設定される設定値（補正係数）に応じて、ＤＳＰ１６に入力されるデジタルの音声信号の周波数特性を変更することができる信号処理回路である。ＤＳＰ１６は、プロセッサ１２の制御下で動作し、ソース装置１５から入力されるデジタルの音声信号に、記憶装置１１に記憶された設定値（補正係数）に基づく信号処理を施す。ＤＳＰ１６は、例えば、フィルタまたはパラメトリックイコライザとして動作する。
【００２７】
デジタル／アナログ変換器１７は、ＤＳＰ１６によって信号処理されたデジタルの音声信号をアナログの音声信号に変換し、変換後のアナログの音声信号に基づく音声または音楽（以下、単に「音」ともいう）をスピーカ１８から出力する。
【００２８】
再生装置１０は、例えば、ＤＭＰ（Ｄｉｇｉｔａｌ  Ｍｅｄｉａ  Ｐｌａｙｅｒ）またはＤＭＲ（Ｄｉｇｉｔａｌ  Ｍｅｄｉａ  Ｒｅｎｄｅｒｅｒ）等の、ＤＬＮＡ（Ｄｉｇｉｔａｌ  Ｌｉｖｉｎｇ  Ｎｅｔｗｏｒｋ  Ａｌｌｉａｎｃｅ）（登録商標）のガイドラインに準拠した装置であってもよい。
【００２９】
制御装置２０は、アンテナ２１、通信回路２２、プロセッサ２３、記憶装置２４、マイクロホン２５、アナログ／デジタル変換器（Ａ／Ｄ）２６、デジタル／アナログ変換器（Ｄ／Ａ）２７、スピーカ２８、およびディスプレイ２９を備える。
【００３０】
通信回路２２は、アンテナ２１を介して再生装置１０と無線通信する。
【００３１】
プロセッサ２３は、制御装置２０の全体の動作を制御する制御回路である。
【００３２】
記憶装置２４は、プロセッサ２３が後述の音響補正処理を実行するために必要なデータを記憶する。記憶装置２４は、例えばフラッシュメモリ等の不揮発性の記憶媒体である。
【００３３】
マイクロホン２５は、取得した音をアナログの音声信号に変換して出力する。マイクロホン２５は、例えば、スピーカ１８から発生された音を取得してアナログの音声信号に変換する。
【００３４】
アナログ／デジタル変換器２６は、マイクロホン２５によって取得したアナログの音声信号をデジタルの音声信号に変換し、変換後のデジタルの音声信号をプロセッサ２３に出力する。
【００３５】
デジタル／アナログ変換器２７は、プロセッサ２３によって生成されたデジタルの音声信号または記憶装置２４から読み出されたデジタルの音声信号をアナログの音声信号に変換し、変換後のアナログの音声信号に基づく音をスピーカ２８から出力する。
【００３６】
ディスプレイ２９は、例えば液晶ディスプレイ装置または有機ＥＬ（Ｅｌｅｃｔｒｏ  Ｌｕｍｉｎｅｓｃｅｎｃｅ）ディスプレイ装置であり、プロセッサ２３から出力された映像信号または記憶装置２４から読み出された映像信号に基づく静止画または動画を表示する。また、ディスプレイ２９にはタッチパネルが一体化されており、ディスプレイ２９は、そのタッチパネルを介してユーザによる入力操作を受け付け、その入力操作に基づく信号をプロセッサ２３に出力する。すなわち、ディスプレイ２９は、画像の表示とユーザによる入力操作の受け付けとが可能な入出力装置である。また、ディスプレイ２９には、例えば、周波数特性の測定時にプロセッサ２３で実行されるアプリケーションソフトウエア（後述する制御方法を実行するためのコンピュータプログラム）によるユーザインターフェースのための画像が表示される。
【００３７】
次に、図２を参照して、図１に示した再生システム３０を使用可能な環境について説明する。
【００３８】
［１−２．設置例］
図２は、実施の形態１における再生システム３０を使用可能な環境の一例を模式的に示す図である。
【００３９】
図２に示す例では、部屋１００において、部屋１００の隅に近い位置にスピーカ１０１が設置されており、ユーザ１０２は、スピーカ１０１から離れた位置でスピーカ１０１から出力される音を聴いている。
【００４０】
なお、スピーカ１０１は、図１に示したスピーカ１８と実質的に同じものである。すなわち、スピーカ１０１は再生装置１０（図２には示さず）に接続されている。
【００４１】
部屋１００は、壁１０３、床、および天井で囲まれた実質的に閉じた空間であり、部屋１００の中には、椅子、テーブル、棚等の家具１０４が配置されている。なお、図２には、壁１０３のみを示す。
【００４２】
スピーカ１０１から出力された音は、図２に矢印で示すように、直接波（太い矢印）による音と、多数の反射波（細い矢印）による音と、を含む合成音としてユーザ１０２の耳に到達する。直接波（太い矢印）は、スピーカ１０１から出力された後、ユーザ１０２に向かって進行し、ユーザ１０２に直接到達する音である。反射波（細い矢印）は、スピーカ１０１から出力された後、壁１０３、床、天井、および家具１０４によって反射してユーザ１０２に到達する音である。したがって、音を反射する物体が多く設置された部屋１００では、スピーカ１０１の配置位置およびユーザ１０２の位置に応じて、ユーザ１０２に届く音の伝搬経路が変化し、ユーザ１０２に聴取される音の周波数特性が変化する。すなわち、スピーカ１０１の配置位置およびユーザ１０２の位置の少なくとも一方が変化すると、反射音の影響により、ユーザ１０２の耳に到達する音の周波数特性が変動し、音の周波数特性におけるピークおよびボトムの位置が変化する。
【００４３】
［１−３．概要］
オーディオ機器等の再生装置が設置される環境に起因する周波数特性の変化を抑えて、本来の意図された周波数特性で音を再現するために、周波数特性を測定するための専用のマイクロホンを用いて部屋の周波数特性を測定し、その測定結果に基づいて再生装置の周波数特性を補正する技術が開示されている。しかしながら、この技術を用いて再生装置の周波数特性を補正する場合、ユーザは、再生装置を使用する度に測定専用のマイクロホンを準備しなければならず、手間がかかる。したがって、測定専用のマイクロホン等の測定機器を用いることなく、スマートホン等のような、マイクロホンを備えた任意の汎用の装置を用いて部屋の周波数特性を測定することができれば、再生システムを使用するユーザの利便性が向上する。
【００４４】
スマートホンは、本来、通話を含むコミュニケーションおよびインターネット等へのネットワーク接続のために用いられる端末装置である。しかし、スマートホンは、マイクロホン、高精細なディスプレイ、タッチパネル、ユーザが操作しやすいユーザインターフェース、および高性能なＣＰＵ（Ｃｅｎｔｒａｌ  Ｐｒｏｃｅｓｓｉｎｇ  Ｕｎｉｔ）、等を有している。そのため、本願発明者は、周波数特性を測定するための制御装置としてスマートホンを用いることを検討した。
【００４５】
ＡＶアンプに搭載されるＤＳＰの演算性能は、高性能なものでも２．４ＧＦＬＯＰＳ（Ｇｉｇａ  Ｆｌｏａｔｉｎｇ−Ｐｏｉｎｔ  Ｏｐｅｒａｔｉｏｎｓ  Ｐｅｒ  Ｓｅｃｏｎｄ）程度である。一方、スマートホンは、そのようなＤＳＰより１桁以上優れた演算性能を有している。したがって、スマートホンは、部屋の周波数特性の測定に必要な演算処理を行うのに十分な演算性能を有していると考えられる。
【００４６】
ただし、部屋の周波数特性を測定するためには、一般的に、その測定に使用するマイクロホンの特性が平坦であること、あるいはそのマイクロホンの特性が既知であることが要求される。スマートホンに備えられているマイクロホンは、通話に用いることを目的とした仕様で設計されているので、その周波数特性は平坦ではなく、また、周波数特性の測定に必要な信号対雑音比が確保されているわけでもない。そのため、部屋の周波数特性を測定する際に、スマートホンに備えられたマイクロホンを使用すると、暗騒音からどのような影響を受けるのかが不明である。したがって、スマートホン等のような、マイクロホンを備えた任意の汎用の装置を用いて部屋の周波数特性を測定するときには、部屋の暗騒音の影響を低減することが求められる。
【００４７】
以下、本実施形態に係る再生システム３０において上述の課題がどのようにして解決されるかについて説明する。
【００４８】
本実施の形態に係る再生システム３０では、部屋の周波数特性の測定時に、制御装置２０による制御の下で再生装置１０によりスピーカ１８から再生される第１のテスト信号および第２のテスト信号を使用する。そして、再生システム３０は、第２のテスト信号を用いて部屋の周波数特性を測定する。再生システム３０は、第２のテスト信号を再生する前に、第１のテスト信号を用いて、第２のテスト信号をスピーカ１８から再生するときの音量（以下、「再生音量」ともいう）を決定する。再生システム３０では、第１のテスト信号を用いて第２のテスト信号の再生音量を調整することにより、部屋の暗騒音の影響を低減する。このようにして、再生システム３０では、測定専用のマイクロホン等の測定機器を用いずとも、スマートホン等のような、マイクロホンを備えた任意の汎用の装置を用いて、従来よりも少ない手間で部屋の周波数特性を測定することができる。
【００４９】
図３は、実施の形態１における再生装置１０および制御装置２０によって使用される第１のテスト信号および第２のテスト信号の一例を説明するためのグラフである。なお、図３において、縦軸は信号レベルを表し、横軸は周波数を表す。
【００５０】
図３は、マイクロホン２５によって取得された暗騒音の信号レベルＮ（ｆ）と、スピーカ１８で再生された後にマイクロホン２５によって取得された第１のテスト信号の信号レベルと、スピーカ１８で再生された後にマイクロホン２５によって取得されたと仮定して計算された第２のテスト信号の信号レベルと、を示す。
【００５１】
再生装置１０は、制御装置２０による制御の下で、第１のテスト信号および第２のテスト信号をスピーカ１８で再生し、その再生音を出力する。なお、本実施の形態では、第１のテスト信号（または、第２のテスト信号）を再生してスピーカ１８から出力することを、「第１のテスト信号（または、第２のテスト信号）をスピーカ１８から再生する」ともいう。
【００５２】
第１のテスト信号は、予め決められた音量（レベル）を有する。また、第１のテスト信号は、例えば、予め決められた周波数（例えば、１ｋＨｚ）を有する正弦波である。そして、第１のテスト信号は、少なくとも制御装置２０において既知である。第１のテスト信号は、再生装置１０において、既知であってもよく、既知でなくてもよい。再生装置１０において第１のテスト信号が既知でない場合は、制御装置２０から再生装置１０に第１のテスト信号が通知されればよい。
【００５３】
第２のテスト信号は、予め決められた音量および予め決められた周波数特性を有する。第２のテスト信号は、少なくとも制御装置２０において既知である。第２のテスト信号は、再生装置１０において、既知であってもよく、既知でなくてもよい。再生装置１０において第２のテスト信号が既知でない場合は、制御装置２０から再生装置１０に第２のテスト信号が通知されればよい。第２のテスト信号は、例えば、ＬＯＧ−ＴＳＰ（Ｌｏｇ−Ｔｉｍｅ  Ｓｔｒｅｔｃｈｅｄ  Ｐｕｌｓｅ）信号である。
【００５４】
図４は、実施の形態１における再生装置１０および制御装置２０によって使用可能な第２のテスト信号の一例を示すグラフである。図４に示す信号はＬＯＧ−ＴＳＰ信号である。
【００５５】
図５は、第２のテスト信号との比較例を示すグラフである。図５に示す信号はインパルス信号である。なお、図４および図５において、縦軸は音量を表し、横軸は時間を表す。
【００５６】
インパルス信号は、複数の周波数成分を含むが、信号の継続時間が相対的に短く、エネルギーが相対的に小さい。そのため、インパルス信号において各周波数成分の信号レベルを十分に大きくすることは難しく、インパルス信号から良好な信号対雑音比を得ることは困難である。インパルス信号を時間方向に引き伸ばすことでエネルギーを相対的に大きくしたＴＳＰ（Ｔｉｍｅ  Ｓｔｒｅｔｃｈｅｄ  Ｐｕｌｓｅ）信号が知られている。ＴＳＰ信号では、周波数が、低周波から高周波に、または高周波から低周波に、時間的に変化する。ＴＳＰ信号は、インパルス信号と同様に、任意の系の周波数特性（インパルス応答）を測定するために使用することが可能である。
【００５７】
第２のテスト信号は、部屋の周波数特性を測定するために使用される。本実施の形態では、部屋の周波数特性の測定に音波を使用するので、第２のテスト信号は、図３に示すように、横軸を対数スケールとするグラフにおいて直線的に表される周波数特性を有していてもよい。第２のテスト信号は、周波数領域において一定の信号レベルを有していてもよい。第２のテスト信号は、互いに異なる各周波数成分が互いに等しい信号レベルを有していてもよい。また、第１のテスト信号および第２のテスト信号は、時間領域で、互いに等しい信号レベルを有していてもよい。再生システム３０では、第２のテスト信号としてＬＯＧ−ＴＳＰ信号を用いることにより、再生装置１０において再生可能な周波数帯域の全体にわたって良好な信号対雑音比を確保して、部屋の周波数特性を測定することができる。
【００５８】
再生システム３０において、第１のテスト信号（第１のテスト信号として生成されたデジタルの信号）は、再生装置１０の記憶装置１１に記憶されていてもよく、あるいは、制御装置２０の記憶装置２４に記憶された第１のテスト信号が、制御装置２０から再生装置１０に送信されてもよい。また、第２のテスト信号（第２のテスト信号として生成されたデジタルの信号）は、再生装置１０の記憶装置１１に記憶されていてもよく、あるいは、制御装置２０の記憶装置２４に記憶された第２のテスト信号が、制御装置２０から再生装置１０に送信されてもよい。
【００５９】
第１のテスト信号は、以下に説明するように、第２のテスト信号をスピーカ１８から再生するときの音量を決定するために使用される。
【００６０】
［１−４．動作］
図１および図３を参照しながら、再生装置１０および制御装置２０の動作について説明する。
【００６１】
制御装置２０のプロセッサ２３は、マイクロホン２５により部屋の暗騒音を取得し、予め決められた複数の周波数ｆにおける暗騒音の信号レベルＮ（ｆ）を計算する。以下、予め決められた複数の周波数ｆを、例えば、１００Ｈｚおよび１０ｋＨｚとして説明する。暗騒音の信号レベルＮ（ｆ）は、例えば、周波数ｆの近傍の１／３オクターブ、２／３オクターブ、または１オクターブにおける信号レベルの最大値として計算されてもよい。
【００６２】
制御装置２０のプロセッサ２３は、第１の制御信号を、通信回路２２およびアンテナ２１を介して再生装置１０に送信する。第１の制御信号は、予め決められた音量を有する第１のテスト信号をスピーカ１８から再生することを再生装置１０に指示する制御信号である。
【００６３】
再生装置１０のプロセッサ１２は、制御装置２０から送信された第１の制御信号を、アンテナ１４および通信回路１３を介して受信する。そして、再生装置１０のプロセッサ１２は、受信した第１の制御信号に基づき、予め決められた音量を有する第１のテスト信号をスピーカ１８から再生する。
【００６４】
制御装置２０のプロセッサ２３は、スピーカ１８から出力されて制御装置２０に到達した第１のテスト信号を、マイクロホン２５によって取得する。そして、制御装置２０のプロセッサ２３は、取得した第１のテスト信号の信号レベルＴ１を計算する。図３に示した例では、第１のテスト信号の信号レベルＴ１は−６ｄＢである。
【００６５】
次に、制御装置２０のプロセッサ２３は、予め決められた音量および予め決められた周波数特性を有する第２のテスト信号をスピーカ１８から再生してマイクロホン２５によって取得すると仮定して、第２のテスト信号の信号レベルＴ２（ｆ）を推定する。このとき、制御装置２０のプロセッサ２３は、取得した第１のテスト信号の信号レベルＴ１を基準として、予め決められた複数の周波数ｆ（例えば、ｆ＝１００Ｈｚおよび１０ｋＨｚ）における第２のテスト信号の信号レベルＴ２（ｆ）を推定する。図３に示すように、制御装置２０のプロセッサ２３は、取得した第１のテスト信号の信号レベルＴ１と予め決められた複数の周波数ｆ（例えば、ｆ＝１００Ｈｚおよび１０ｋＨｚ）における第２のテスト信号の信号レベルＴ２（ｆ）との差Ｄ（ｆ）＝Ｔ１−Ｔ２（ｆ）を推定する。制御装置２０のプロセッサ２３において第１のテスト信号および第２のテスト信号の音量および周波数特性は既知である。したがって、制御装置２０のプロセッサ２３は、それらの既知の情報（例えば、第１のテスト信号と第２のテスト信号との音量差、第２のテスト信号における低域と高域との音量差、等）を用い、取得した第１のテスト信号の信号レベルＴ１を基準とすることで、Ｄ（ｆ）を推定し、そのＤ（ｆ）から第２のテスト信号の信号レベルＴ２（ｆ）を推定することができる。
【００６６】
制御装置２０のプロセッサ２３は、予め決められた複数の周波数ｆ（例えば、ｆ＝１００Ｈｚおよび１０ｋＨｚ）において、推定された第２のテスト信号の信号レベルＴ２（ｆ）と、暗騒音の信号レベルＮ（ｆ）とを互いに比較する。
【００６７】
具体的には、制御装置２０のプロセッサ２３は、推定された第２のテスト信号の信号レベルＴ２（ｆ）＝Ｔ１−Ｄ（ｆ）から、予め決められた測定マージンＭの値を減算することにより、暗騒音の許容信号レベルＮａ（ｆ）＝Ｔ１−Ｄ（ｆ）−Ｍを計算する。
【００６８】
測定マージンＭは、ゼロまたは所定の正数であり、制御装置２０で取得される第１のテスト信号および第２のテスト信号の周波数特性の変化等を考慮して設定される。
【００６９】
そして、制御装置２０のプロセッサ２３は、予め決められた複数の周波数ｆ（例えば、ｆ＝１００Ｈｚおよび１０ｋＨｚ）において、暗騒音の許容信号レベルＮａ（ｆ）と暗騒音の信号レベルＮ（ｆ）とを互いに比較する。
【００７０】
制御装置２０のプロセッサ２３は、予め決められた複数の周波数ｆの全てにおいて、暗騒音の許容信号レベルＮａ（ｆ）が暗騒音の信号レベルＮ（ｆ）より大きいとき、第２のテスト信号の音量は現在の設定値に基づく大きさでよいと判断して、第２のテスト信号の音量として設定された現在の設定値を維持する。
【００７１】
一方、制御装置２０のプロセッサ２３は、予め決められた複数の周波数ｆ（例えば、ｆ＝１００Ｈｚおよび１０ｋＨｚ）のうちの少なくとも１つの周波数ｆにおいて、暗騒音の許容信号レベルＮａ（ｆ）が暗騒音の信号レベルＮ（ｆ）以下であるときは、現在の設定値に基づく音量で第２のテスト信号が再生された場合、暗騒音の影響により、部屋の周波数特性を正確に測定できない可能性がある、と判断する。したがって、このような場合、制御装置２０のプロセッサ２３は、第２のテスト信号の音量の設定値を、現在の設定値から増大させる。
【００７２】
図３に示されているように、周波数が相対的に低い低域側では、第２のテスト信号のゲインが大きいので、低域側の暗騒音レベルは、周波数が相対的に高い高域側の暗騒音レベルより高くてもかまわない。
【００７３】
第１のテスト信号の信号レベルＴ１が予め決められたしきい値（例えば、−６ｄＢ）を超えるときは、信号レベルＴ１が飽和（クリップ）する可能性がある。このような場合、制御装置２０のプロセッサ２３は、現在の設定値に基づく音量で第２のテスト信号が再生された場合、第２のテスト信号の音量が大きすぎて、部屋の周波数特性を正確に測定できない可能性がある、と判断する。したがって、このような場合、制御装置２０のプロセッサ２３は、第２のテスト信号の音量の設定値を、現在の設定値から減少させる。
【００７４】
制御装置２０のプロセッサ２３は、第２の制御信号を、通信回路２２およびアンテナ２１を介して再生装置１０に送信する。第２の制御信号は、設定値に応じた音量を有する第２のテスト信号をスピーカ１８から再生することを再生装置１０に指示する制御信号である。
【００７５】
再生装置１０のプロセッサ１２は、制御装置２０から送信された第２の制御信号を、アンテナ１４および通信回路１３を介して受信する。そして、再生装置１０のプロセッサ１２は、受信した第２の制御信号に基づき、設定値に応じた音量を有する第２のテスト信号をスピーカ１８から再生する。
【００７６】
制御装置２０のプロセッサ２３は、スピーカ１８から出力され、直接波による音と多数の反射波による音とを含む合成音として制御装置２０に到達した第２のテスト信号を、マイクロホン２５によって取得する。そして、制御装置２０のプロセッサ２３は、取得した第２のテスト信号に基づいて部屋の周波数応答を計算する。そして、制御装置２０のプロセッサ２３は、計算した部屋の周波数応答に基づいて、再生装置１０に設定する周波数特性の補正係数を計算する。
【００７７】
制御装置２０のプロセッサ２３は、第３の制御信号を、通信回路２２およびアンテナ２１を介して再生装置１０に送信する。第３の制御信号は、再生装置１０に設定する周波数特性の補正係数を含む制御信号である。
【００７８】
再生装置１０のプロセッサ１２は、制御装置２０から送信された第３の制御信号を、アンテナ１４および通信回路１３を介して受信する。そして、再生装置１０のプロセッサ１２は、受信した第３の制御信号に基づき、受信した第３の制御信号に含まれる補正係数をＤＳＰ１６に設定する。ＤＳＰ１６は、設定された補正係数に基づく信号処理（周波数特性の補正）を、ＤＳＰ１６に入力されるデジタルの音声信号に施して出力する。このようにして、再生装置１０では、再生装置１０で再生される音声信号、すなわち、スピーカ１８から再生される音、の周波数特性を補正する。
【００７９】
以上のように、本実施の形態における再生システム３０では、第１のテスト信号を用いて第２のテスト信号の再生音量を調整することにより、部屋の暗騒音の影響を低減しながら部屋の周波数特性を測定し、その測定結果に基づいて、再生装置１０に接続されたスピーカ１８から再生される音の周波数特性を制御することができる。したがって、再生システム３０では、測定専用のマイクロホン等の測定機器を用いずとも、スマートホン等のような、マイクロホンを備えた任意の汎用の装置を制御装置２０として用いることができるので、従来よりも少ない手間で部屋の周波数特性を測定することができる。
【００８０】
そして、再生システム３０では、このようにして測定した部屋の周波数特性に基づき、周波数特性の補正係数を計算し、その補正係数を再生装置１０のＤＳＰ１６に設定する。ＤＳＰ１６は、その補正係数に基づき、ＤＳＰ１６に入力される音声信号の周波数特性を補正する。これにより、再生装置１０は、再生システム３０が設置された部屋におけるスピーカ１８の位置およびユーザ１０２の位置に応じた適切な補正を施した再生音を、再生装置１０に接続されたスピーカ１８から出力することができる。
【００８１】
［１−５．フローチャート］
次に、図６〜図１７を参照しながら、本実施の形態における再生装置１０および制御装置２０の詳細な動作について説明する。まず、主に制御装置２０のプロセッサ２３によって実行される音響補正処理の概要を、図６のフローチャートを用いて説明する。次に、図６に示した各ステップの詳細を、図７から図１２の各フローチャートを用いて説明する。また、再生装置１０と制御装置２０との間で行われる通信を、適宜、図１３および図１４のシーケンス図を用いて説明する。再生システム３０における音響補正処理は、例えば、ユーザ１０２が制御装置２０に音響補正処理の開始を指示する操作を行うことで、開始される。
【００８２】
図６は、実施の形態１における制御装置２０のプロセッサ２３によって実行される音響補正処理の一例を示すフローチャートである。
【００８３】
図６のフローチャートに示すように、制御装置２０のプロセッサ２３は、まず、音響補正処理の準備のための様々なステップを含む前置処理を実行する（ステップＳ１）。
【００８４】
次に、制御装置２０のプロセッサ２３は、部屋の暗騒音を測定する暗騒音測定処理を実行する（ステップＳ２）。
【００８５】
次に、制御装置２０のプロセッサ２３は、再生音量調整処理を実行する（ステップＳ３）。再生音量調整処理は、第１のテスト信号を用いて第２のテスト信号の再生音量を調整する処理である。
【００８６】
次に、制御装置２０のプロセッサ２３は、周波数特性測定処理を実行する（ステップＳ４）。周波数特性測定処理は、第２のテスト信号を用いて部屋の周波数特性を測定し、その測定結果に基づいて、再生装置１０に設定する周波数特性の補正係数を計算する処理である。
【００８７】
最後に、制御装置２０のプロセッサ２３は、ステップＳ４で計算された補正係数を再生装置１０に設定する補正係数設定処理を実行する（ステップＳ５）。
【００８８】
次に、図６に示した前置処理（ステップＳ１）の詳細を、図７のフローチャートを用いて説明する。
【００８９】
図７は、図６に示した前置処理（ステップＳ１）のサブルーチンの一例を示すフローチャートである。
【００９０】
前置処理（ステップＳ１）では、制御装置２０のプロセッサ２３は、図７のフローチャートに示すように、まず、再生装置１０の設定値を要求する信号（設定値の要求信号）を、通信回路２２およびアンテナ２１を介して再生装置１０に送信する（ステップＳ１１）。再生装置１０の設定値には、例えば、入力セレクタ、音量、およびトーンコントロールの各設定値が含まれる。
【００９１】
再生装置１０のプロセッサ１２は、ステップＳ１１で制御装置２０から送信された設定値の要求信号を、アンテナ１４および通信回路１３を介して受信する。再生装置１０のプロセッサ１２は、受信した要求信号が示す設定値の要求に応じて、再生装置１０における入力セレクタ、音量、およびトーンコントロールの各設定値を含む信号（設定値の応答信号）を、通信回路１３およびアンテナ１４を介して制御装置２０に送信する。
【００９２】
制御装置２０のプロセッサ２３は、再生装置１０から送信された再生装置１０の設定値の応答信号を、アンテナ２１および通信回路２２を介して受信する（ステップＳ１２）。
【００９３】
なお、制御装置２０のプロセッサ２３は、例えば、再生装置１０の電源がオフである、等の理由により、ステップＳ１２において設定値の応答信号を再生装置１０から受信できなかった場合は、応答信号を受信できなかったことを示すエラーメッセージをディスプレイ２９に表示してもよい。また、制御装置２０のプロセッサ２３は、その後、処理を終了してもよい。
【００９４】
再生装置１０から送信された設定値の応答信号をステップＳ１２で受信した制御装置２０のプロセッサ２３は、受信した応答信号に含まれている再生装置１０の入力セレクタ、音量、およびトーンコントロールの各設定値を、その応答信号から取り出して制御装置２０の記憶装置２４に記憶する（ステップＳ１３）。
【００９５】
次に、制御装置２０のプロセッサ２３は、音響補正処理の開始を再生装置１０に通知する信号（音響補正処理の開始の通知信号）を、通信回路２２およびアンテナ２１を介して再生装置１０に送信する（ステップＳ１４）。
【００９６】
再生装置１０のプロセッサ１２は、ステップＳ１４で制御装置２０から送信された音響補正処理の開始の通知信号を、アンテナ１４および通信回路１３を介して受信する。再生装置１０のプロセッサ１２は、受信した通知信号に応答する信号（音響補正処理の開始の応答信号）を、通信回路１３およびアンテナ１４を介して制御装置２０に送信する。
【００９７】
制御装置２０のプロセッサ２３は、再生装置１０から送信された音響補正処理の開始の応答信号を、アンテナ２１および通信回路２２を介して受信する（ステップＳ１５）。
【００９８】
なお、制御装置２０のプロセッサ２３は、音響補正処理の開始の通知信号を再生装置１０に送信する動作を、その通知信号に対する応答信号を再生装置１０から受信できるまで、予め決められた回数（例えば、３回、等）繰り返し行ってもよい。また、制御装置２０は、その通知信号を再生装置１０に送信する動作を予め決められた回数（例えば、３回）行っても、その通知信号に対する応答信号を再生装置１０から受信できなかった場合に、応答信号を受信できなかったことを示すエラーメッセージをディスプレイ２９に表示してもよい。また、制御装置２０は、その後、処理を終了してもよい。
【００９９】
制御装置２０のプロセッサ２３は、ステップＳ１２で受信した設定値の応答信号に含まれているトーンコントロールの設定値に基づき、再生装置１０にトーンコントロールが設定されているか否かを判断する。再生装置１０にトーンコントロールが設定されている場合は、制御装置２０のプロセッサ２３は、再生装置１０のトーンコントロールをオフにすることを再生装置１０に指示する信号（トーンコントロールオフの指示信号）を、通信回路２２およびアンテナ２１を介して再生装置１０に送信する（ステップＳ１６）。
【０１００】
再生装置１０のプロセッサ１２は、ステップＳ１６で制御装置２０から送信されたトーンコントロールオフの指示信号を、アンテナ１４および通信回路１３を介して受信する。再生装置１０のプロセッサ１２は、受信した指示信号に応じてトーンコントロールをオフにした後、トーンコントロールをオフにしたことを示す信号（トーンコントロールオフの応答信号）を、通信回路１３およびアンテナ１４を介して制御装置２０に送信する。
【０１０１】
制御装置２０のプロセッサ２３は、再生装置１０から送信されたトーンコントロールオフの応答信号を、アンテナ２１および通信回路２２を介して受信する（ステップＳ１７）。
【０１０２】
なお、制御装置２０のプロセッサ２３は、トーンコントロールをオフにすることを指示する信号を再生装置１０に送信する動作を、その指示信号に対する応答信号を再生装置１０から受信できるまで、予め決められた回数（例えば、３回、等）繰り返し行ってもよい。また、制御装置２０は、その指示信号を再生装置１０に送信する動作を予め決められた回数（例えば、３回）行っても、その指示信号に対する応答信号を再生装置１０から受信できなかった場合に、応答信号を受信できなかったことを示すエラーメッセージをディスプレイ２９に表示してもよい。また、制御装置２０は、その後、処理を終了してもよい。
【０１０３】
次に、制御装置２０のプロセッサ２３は、マイクロホン２５の音響効果をオフにする（ステップＳ１８）。
【０１０４】
制御装置２０がスマートホンである場合、スマートホンに備えられたマイクロホンは、通話に用いることを目的とした仕様で設計されているので、平坦ではない周波数特性を有する。また、スマートホンでは、音声の子音部を聞き取りやすくするために高音域が強調された周波数特性を備えていたり、あるいは、風切り音による低音域ノイズを低減するために低音域遮断フィルタ処理が適用されていたりする。また、スマートホンでは、自動利得制御およびノイズリダクションが適用されている場合もある。本実施の形態に示す再生システム３０では、音響補正処理を実行する際に、これらの音響効果を全てオフにする。
【０１０５】
次に、ステップＳ１１〜ステップＳ１７において再生装置１０と制御装置２０との間で行われる通信を、図１３のシーケンス図を用いて説明する。
【０１０６】
図１３は、図６に示したステップＳ１〜ステップＳ３を実行するときの、実施の形態１における再生装置１０と制御装置２０との間で行われる通信の一例を示すシーケンス図である。
【０１０７】
図１３に示すように、制御装置２０は、再生装置１０に対して、再生装置１０の設定値を要求する信号（設定値の要求信号）を送信する（ステップＳ１１）。
【０１０８】
ステップＳ１１で制御装置２０から送信された設定値の要求信号を受信した再生装置１０は、その要求信号に応じて、再生装置１０における入力セレクタ、音量、およびトーンコントロールの各設定値を含む信号（設定値の応答信号）を、制御装置２０に送信する。
【０１０９】
制御装置２０は、再生装置１０から送信された設定値の応答信号を受信する（ステップＳ１２）。
【０１１０】
再生装置１０から送信された設定値の応答信号をステップＳ１２で受信した制御装置２０は、音響補正処理の開始を通知する信号（音響補正処理の開始の通知信号）を、再生装置１０に送信する（ステップＳ１４）。
【０１１１】
ステップＳ１４で制御装置から送信された通知信号を受信した再生装置１０は、音響補正処理の開始の通知に応答する信号（音響補正処理の開始の応答信号）を、制御装置２０に送信する。
【０１１２】
制御装置２０は、再生装置１０から送信された応答信号を受信する（ステップＳ１５）。
【０１１３】
次に、制御装置２０は、トーンコントロールをオフにすることを指示する信号（トーンコントロールオフの指示信号）を、再生装置１０に送信する（ステップＳ１６）。
【０１１４】
ステップＳ１６で制御装置２０から送信された指示信号を受信した再生装置１０は、その指示信号に応じてトーンコントロールをオフにし、トーンコントロールをオフにしたことを示す信号（トーンコントロールオフの応答信号）を、制御装置２０に送信する。
【０１１５】
制御装置２０は、再生装置１０から送信されたトーンコントロールオフの応答信号を受信する（ステップＳ１７）。
【０１１６】
次に、図６に示した暗騒音測定処理（ステップＳ２）の詳細を、図８のフローチャートを用いて説明する。
【０１１７】
図８は、図６に示した暗騒音測定処理（ステップＳ２）のサブルーチンの一例を示すフローチャートである。
【０１１８】
暗騒音測定処理（ステップＳ２）では、制御装置２０のプロセッサ２３は、図８のフローチャートに示すように、まず、マイクロホン２５を用いて部屋の暗騒音を録音し、部屋の暗騒音の大きさを測定する（ステップＳ２１）。
【０１１９】
ステップＳ２１では、再生装置１０が音の再生動作を停止しているときに（すなわち、再生装置１０が、音楽等の音声信号およびテスト信号等を再生しておらず、再生装置１０に接続されたスピーカ１８から音が出力されていないときに）、制御装置２０のプロセッサ２３が、マイクロホン２５を用いて、制御装置２０の周囲の音（暗騒音）を録音する。このとき、暗騒音として取得された音声信号（デジタルの音声信号）は、例えば、制御装置２０の記憶装置２４に記憶される。なお、再生装置１０における音の再生動作の停止は、ユーザ１０２が制御装置２０を用いて再生装置１０を操作することで実行されてもよく、ユーザ１０２が直接的に再生装置１０を操作することで実行されてもよく、あるいは、その他の手段で実行されてもよい。
【０１２０】
暗騒音の大きさは、時間領域での信号レベルを示す。制御装置２０のプロセッサ２３は、ステップＳ２１で取得した暗騒音の大きさを、予め決められたしきい値と比較し、暗騒音がしきい値以下であるか否かを判断する（ステップＳ２２）。
【０１２１】
制御装置２０のプロセッサ２３は、ステップＳ２２において、暗騒音の大きさはしきい値以下であると判断した場合は（ステップＳ２２において、ＹＥＳ）、処理を図６に示したステップＳ３に進める。
【０１２２】
制御装置２０のプロセッサ２３は、ステップＳ２２において、暗騒音の大きさはしきい値より大きいと判断した場合は（ステップＳ２２において、ＮＯ）、ディスプレイ２９にエラーメッセージを表示する（ステップＳ２３）。ステップＳ２３でディスプレイ２９に表示されるエラーメッセージは、暗騒音が大きいことをユーザ１０２に知らせるメッセージであり、例えば、「部屋が静かになるまで待機してください」等である。
【０１２３】
制御装置２０のプロセッサ２３は、ステップＳ２３の処理を実行した後は、処理をステップＳ２１に戻し、ステップＳ２１以降の処理を再度実行する。
【０１２４】
次に、図６に示した再生音量調整処理（ステップＳ３）の詳細を、図９および図１０のフローチャートを用いて説明する。
【０１２５】
図９は、図６に示した再生音量調整処理（ステップＳ３）のサブルーチンの第１の部分の一例を示すフローチャートである。
【０１２６】
図１０は、図６に示した再生音量調整処理（ステップＳ３）のサブルーチンの第２の部分の一例を示すフローチャートである。
【０１２７】
再生音量調整処理（ステップＳ３）では、制御装置２０のプロセッサ２３は、図９のフローチャートに示すように、まず、第１のテスト信号をスピーカ１８から再生することを再生装置１０に指示する第１の制御信号（図１３に示す第１のテスト信号の再生の指示信号）を、通信回路２２およびアンテナ２１を介して再生装置１０に送信する（ステップＳ３１）。第１の制御信号は、第１のテスト信号の音量の指示値を含む。
【０１２８】
再生装置１０のプロセッサ１２は、ステップＳ３１で制御装置２０から送信された第１の制御信号を、アンテナ１４および通信回路１３を介して受信する。再生装置１０のプロセッサ１２は、受信した第１の制御信号に応じて、第１のテスト信号をスピーカ１８から再生する動作を開始する（図１３にステップＳ８１として示す）。再生装置１０のプロセッサ１２は、第１のテスト信号を、受信した第１の制御信号に含まれる音量の指示値に基づく音量で再生してスピーカ１８から出力する。例えば、再生装置１０の音量が、０〜１００の範囲内で設定可能であり、受信した第１の制御信号に含まれる指示値が３５である場合、再生装置１０のプロセッサ１２は、第１のテスト信号を、音量３５で再生してスピーカ１８から出力する。再生装置１０のプロセッサ１２は、第１のテスト信号を、予め決められた時間（例えば、約５秒間）、再生する。
【０１２９】
制御装置２０のプロセッサ２３は、再生装置１０において第１のテスト信号の再生が開始された後に、または、ステップＳ３１で第１の制御信号を再生装置１０に送信した後に、マイクロホン２５を通して取得した第１のテスト信号の録音を開始する（ステップＳ３２）。ステップＳ３２において取得した第１のテスト信号（デジタルの音声信号）は、例えば、制御装置２０の記憶装置２４に記憶される。
【０１３０】
再生装置１０のプロセッサ１２は、第１のテスト信号を予め決められた時間（例えば、約５秒間）再生した後、第１のテスト信号の再生を終了する（図１３にステップＳ８２として示す）。
【０１３１】
制御装置２０のプロセッサ２３は、再生装置１０において第１のテスト信号の再生が終了した後、第１のテスト信号の録音を終了する（ステップＳ３３）。制御装置２０のプロセッサ２３は、再生装置１０における第１のテスト信号の再生の終了直後に第１のテスト信号の録音を終了してもよく、あるいは、再生装置１０において第１のテスト信号の再生が終了してから所定時間が経過した後に（例えば、約１秒後に）、第１のテスト信号の録音を終了してもよい。
【０１３２】
制御装置２０のプロセッサ２３は、録音された第１のテスト信号（デジタルの音声信号）から、予め決められた時間分の信号を取り出す。制御装置２０のプロセッサ２３は、例えば、録音された第１のテスト信号の録音開始位置の１秒後から、約１．５秒分の信号（例えば、６５５３６個のデータ）を取り出す。
【０１３３】
制御装置２０のプロセッサ２３は、第１のテスト信号が正常に録音されているか否かを確認する等して、ステップＳ３２で取得した第１のテスト信号の録音に成功したか否かを判断する（ステップＳ３４）。
【０１３４】
制御装置２０のプロセッサ２３は、ステップＳ３４において、第１のテスト信号の録音に成功したと判断した場合は（ステップＳ３４において、ＹＥＳ）、処理を図１０に示すステップＳ３６に進める。
【０１３５】
制御装置２０のプロセッサ２３は、ステップＳ３４において、第１のテスト信号の録音に失敗したと判断した場合は（ステップＳ３４において、ＮＯ）、ディスプレイ２９にエラーメッセージを表示する（ステップＳ３５）。ステップＳ３５でディスプレイ２９に表示されるエラーメッセージは、例えば、第１のテスト信号の録音に失敗したことをユーザ１０２に知らせるメッセージである。なお、制御装置２０においては、例えば、再生装置１０が第１のテスト信号を少なくとも部分的に再生できないとき、再生装置１０がＤＭＰまたはＤＭＲではないとき、または、再生装置１０の電源がオフであるとき、等の場合に、第１のテスト信号の録音に失敗する可能性がある。
【０１３６】
制御装置２０のプロセッサ２３は、ステップＳ３５の処理を実行した後は、処理を、図７に示したステップＳ１４に戻し、ステップＳ１４以降の処理を再度実行する。
【０１３７】
制御装置２０のプロセッサ２３は、ステップＳ３４において、第１のテスト信号の録音に成功したと判断した場合は（ステップＳ３４において、ＹＥＳ）、図１０のフローチャートに示すように、ステップＳ３２で録音した第１のテスト信号およびステップＳ２１で録音した暗騒音に対して、ＦＦＴ（Ｆａｓｔ  Ｆｏｕｒｉｅｒ  Ｔｒａｎｓｆｏｒｍ）を行う（ステップＳ３６）。これにより、制御装置２０のプロセッサ２３は、ステップＳ３２で録音した第１のテスト信号およびステップＳ２１で録音した暗騒音における、周波数と信号レベルとの関係を把握できる。
【０１３８】
次に、制御装置２０のプロセッサ２３は、ステップＳ３２で取得した第１のテスト信号の信号レベルＴ１を算出する（ステップＳ３７）。制御装置２０のプロセッサ２３は、ステップＳ３６で実行されたＦＦＴの結果を用いることで、取得した第１のテスト信号の信号レベルＴ１を算出することができる。
【０１３９】
次に、制御装置２０のプロセッサ２３は、取得した第１のテスト信号の信号レベルＴ１と予め決められた複数の周波数ｆ（例えば、ｆ＝１００Ｈｚおよび１０ｋＨｚ）における第２のテスト信号の信号レベルＴ２（ｆ）との差Ｄ（ｆ）を推定する（ステップＳ３８）。
【０１４０】
次に、制御装置２０のプロセッサ２３は、予め決められた複数の周波数ｆ（例えば、ｆ＝１００Ｈｚおよび１０ｋＨｚ）において、ステップＳ３８で推定されたＤ（ｆ）に基づく第２のテスト信号の信号レベルＴ２（ｆ）＝Ｔ１−Ｄ（ｆ）から予め決められた測定マージンＭの値を減算することにより、暗騒音の許容信号レベルＮａ（ｆ）＝Ｔ１−Ｄ（ｆ）−Ｍを計算する（ステップＳ３９）。
【０１４１】
次に、制御装置２０のプロセッサ２３は、予め決められた複数の周波数ｆ（例えば、ｆ＝１００Ｈｚおよび１０ｋＨｚ）における暗騒音の信号レベルＮ（ｆ）を算出する（ステップＳ４０）。制御装置２０のプロセッサ２３は、ステップＳ３６で実行されたＦＦＴの結果を用いることで、ステップＳ２１で取得した暗騒音の信号レベルＮ（ｆ）を算出することができる。
【０１４２】
次に、制御装置２０のプロセッサ２３は、ステップＳ４０で得られた暗騒音の信号レベルＮ（ｆ）と、ステップＳ３９で得られた暗騒音の許容信号レベルＮａ（ｆ）とを互いに比較し、暗騒音の信号レベルＮ（ｆ）が暗騒音の許容信号レベルＮａ（ｆ）未満であるか否かを判定する（ステップＳ４１）。ステップＳ４１における判定結果は、例えば、制御装置２０の記憶装置２４に記憶される。
【０１４３】
次に、制御装置２０のプロセッサ２３は、予め決められた複数の周波数ｆ（例えば、周波数ｆ＝１００Ｈｚおよび１０ｋＨｚ）の全てについて、ステップＳ４１の判定を行ったか否かを判断する（ステップＳ４２）。
【０１４４】
制御装置２０のプロセッサ２３は、ステップＳ４２において、予め決められた複数の周波数ｆ（例えば、周波数ｆ＝１００Ｈｚおよび１０ｋＨｚ）のうち、ステップＳ４１の判定が行われていない周波数がある、と判断した場合は（ステップＳ４２において、ＮＯ）、処理をステップＳ３８に戻し、ステップＳ３８以降の処理を再度実行する。
【０１４５】
制御装置２０のプロセッサ２３は、ステップＳ４２において、予め決められた複数の周波数ｆ（例えば、ｆ＝１００Ｈｚおよび１０ｋＨｚ）の全てについてステップＳ４１の判定を行ったと判断した場合は（ステップＳ４２において、ＹＥＳ）、予め決められた複数の周波数ｆ（例えば、ｆ＝１００Ｈｚおよび１０ｋＨｚ）のうちの少なくとも１つの周波数ｆにおいて、暗騒音の許容信号レベルＮａ（ｆ）が暗騒音の信号レベルＮ（ｆ）以下であるか否か（すなわち、Ｎａ（ｆ）≦Ｎ（ｆ）であるか否か）を判断する（ステップＳ４３）。
【０１４６】
制御装置２０のプロセッサ２３は、ステップＳ４３において、予め決められた複数の周波数ｆの全てにおいて暗騒音の許容信号レベルＮａ（ｆ）は暗騒音の信号レベルＮ（ｆ）より大きい（すなわち、Ｎａ（ｆ）＞Ｎ（ｆ）である）と判断した場合は（ステップＳ４３において、ＮＯ）、取得した第１のテスト信号の信号レベルＴ１が予め決められたしきい値（例えば、−６ｄＢ）よりも大きいか否かを判断する（ステップＳ４４）。
【０１４７】
制御装置２０のプロセッサ２３は、ステップＳ４４において、取得した第１のテスト信号の信号レベルＴ１は予め決められたしきい値（例えば、−６ｄＢ）以下であると判断した場合は（ステップＳ４４において、ＮＯ）、第２のテスト信号の音量の設定値を現在の設定値に維持したまま、処理を図６に示したステップＳ４に進める。
【０１４８】
制御装置２０のプロセッサ２３は、ステップＳ４４において、取得した第１のテスト信号の信号レベルＴ１は予め決められたしきい値（例えば、−６ｄＢ）よりも大きいと判断した場合は（ステップＳ４４において、ＹＥＳ）、第２のテスト信号の音量の設定値を現在の設定値から減少させ、処理を図６に示したステップＳ４に進める。
【０１４９】
制御装置２０のプロセッサ２３は、ステップＳ４３において、予め決められた複数の周波数ｆのうちの少なくとも１つの周波数ｆにおいて暗騒音の許容信号レベルＮａ（ｆ）は暗騒音の信号レベルＮ（ｆ）以下である（すなわち、Ｎａ（ｆ）≦Ｎ（ｆ）である）と判断した場合は（ステップＳ４３において、ＹＥＳ）、取得した第１のテスト信号の信号レベルＴ１が予め決められたしきい値（例えば、−６ｄＢ）よりも大きいか否かを判断する（ステップＳ４６）。
【０１５０】
制御装置２０のプロセッサ２３は、ステップＳ４６において、取得した第１のテスト信号の信号レベルＴ１は予め決められたしきい値（例えば、−６ｄＢ）以下であると判断した場合は（ステップＳ４６において、ＮＯ）、第２のテスト信号の音量の設定値を現在の設定値から増大させ、処理を図６に示したステップＳ４に進める。
【０１５１】
制御装置２０のプロセッサ２３は、ステップＳ４６において、取得した第１のテスト信号の信号レベルＴ１は予め決められたしきい値（例えば、−６ｄＢ）よりも大きいと判断した場合は（ステップＳ４６において、ＹＥＳ）、ディスプレイ２９にエラーメッセージを表示する（ステップＳ４８）。ステップＳ４８でディスプレイ２９に表示されるエラーメッセージは、例えば、音声補正処理のための測定に問題があったことをユーザ１０２に知らせるメッセージである。
【０１５２】
制御装置２０のプロセッサ２３は、ステップＳ４８の処理を実行した後は、処理を、図７に示したステップＳ１４に戻し、ステップＳ１４以降の処理を再度実行する。
【０１５３】
次に、ステップＳ３１〜ステップＳ３３において再生装置１０および制御装置２０で実行される処理を、図１３のシーケンス図を用いて説明する。
【０１５４】
図１３に示すように、制御装置２０は、第１のテスト信号をスピーカ１８から再生することを再生装置１０に指示する第１の制御信号（第１のテスト信号の再生の指示信号）を、再生装置１０に送信する（ステップＳ３１）。
【０１５５】
ステップＳ３１で制御装置２０から送信された第１の制御信号を受信した再生装置１０は、受信した第１の制御信号に応じて、第１のテスト信号の再生を開始する（ステップＳ８１）。
【０１５６】
制御装置２０は、第１のテスト信号の録音を開始する（ステップＳ３２）。
【０１５７】
再生装置１０は、予め決められた時間（例えば、約５秒間）第１のテスト信号を再生し、制御装置２０は、その間、第１のテスト信号の録音を継続する。
【０１５８】
再生装置１０は、予め決められた時間（例えば、約５秒間）が経過した後、第１のテスト信号の再生を終了する（ステップＳ８２）。
【０１５９】
制御装置２０は、第１のテスト信号の録音を終了する（ステップＳ３３）。
【０１６０】
次に、図６に示した周波数特性測定処理（ステップＳ４）の詳細を、図１１のフローチャートを用いて説明する。
【０１６１】
図１１は、図６に示した周波数特性測定処理（ステップＳ４）のサブルーチンの一例を示すフローチャートである。
【０１６２】
周波数特性測定処理（ステップＳ４）では、制御装置２０のプロセッサ２３は、図１１のフローチャートに示すように、まず、第２のテスト信号をスピーカ１８から再生することを再生装置１０に指示する第２の制御信号（第２のテスト信号の再生の指示信号）を、通信回路２２およびアンテナ２１を介して再生装置１０に送信する（ステップＳ５１）。ステップＳ５１で送信される第２の制御信号は、ステップＳ３で決定された第２のテスト信号の音量の設定値を含む。
【０１６３】
再生装置１０のプロセッサ１２は、ステップＳ５１で制御装置２０から送信された第２の制御信号を、アンテナ１４および通信回路１３を介して受信する。再生装置１０のプロセッサ１２は、受信した第２の制御信号に応じて、第２のテスト信号をスピーカ１８から再生する動作を開始する（図１４にステップＳ８３として示す）。再生装置１０のプロセッサ１２は、第２のテスト信号を、受信した第２の制御信号に含まれる音量の設定値に基づく音量で再生してスピーカ１８から出力する。再生装置１０のプロセッサ１２は、第２のテスト信号を、予め決められた回数（例えば、合計で約１０秒間に相当する回数）、繰り返し再生する。
【０１６４】
制御装置２０のプロセッサ２３は、再生装置１０において第２のテスト信号の再生が開始された後に、または、ステップＳ５１で第２の制御信号を送信した後に、マイクロホン２５を通して取得した第２のテスト信号の録音を開始する（ステップＳ５２）。ステップＳ５２において取得した第２のテスト信号（デジタルの音声信号）は、例えば、制御装置２０の記憶装置２４に記憶される。
【０１６５】
再生装置１０のプロセッサ１２は、第２のテスト信号を予め決められた回数（例えば、合計で約１０秒間に相当する回数）繰り返して再生した後、第２のテスト信号の再生を終了する（図１４にステップＳ８４として示す）。
【０１６６】
制御装置２０のプロセッサ２３は、再生装置１０における第２のテスト信号の再生が終了した後、第２のテスト信号の録音を終了する（ステップＳ５３）。制御装置２０のプロセッサ２３は、再生装置１０における第２のテスト信号の再生の終了直後に第２のテスト信号の録音を終了してもよく、あるいは、再生装置１０において第２のテスト信号の再生が終了してから所定時間が経過した後に（例えば、約１秒後に）、第２のテスト信号の録音を終了してもよい。
【０１６７】
制御装置２０のプロセッサ２３は、第２のテスト信号が正常に録音されているか否かを確認する等して、ステップＳ５２で取得した第２のテスト信号の録音に成功したか否かを判断する（ステップＳ５４）。
【０１６８】
制御装置２０のプロセッサ２３は、ステップＳ５４において、第２のテスト信号の録音に失敗したと判断した場合は（ステップＳ５４において、ＮＯ）、ディスプレイ２９にエラーメッセージを表示する（ステップＳ５５）。ステップＳ５５でディスプレイ２９に表示されるエラーメッセージは、例えば、第２のテスト信号の録音に失敗したことをユーザ１０２に知らせるメッセージである。なお、制御装置２０においては、例えば、再生装置１０が第２のテスト信号を少なくとも部分的に再生できないとき、再生装置１０がＤＭＰまたはＤＭＲではないとき、または、再生装置１０の電源がオフであるとき、等の場合に、第２のテスト信号の録音に失敗する可能性がある。
【０１６９】
制御装置２０のプロセッサ２３は、ステップＳ５５の処理を実行した後は、処理を図７に示したステップＳ１４に戻し、ステップＳ１４以降の処理を再度実行する。
【０１７０】
制御装置２０のプロセッサ２３は、ステップＳ５４において、第２のテスト信号の録音に成功したと判断した場合は（ステップＳ５４において、ＹＥＳ）、部屋の中の複数の位置で周波数特性を測定するか否かを判断する（ステップＳ５６）。なお、この判断は、例えば、ユーザ１０２の指示に基づいて行われてもよく、あるいは、制御装置２０のプロセッサ２３が、それまでの測定結果等に基づいて、または、制御装置２０において予め決められた測定回数に基づいて、行ってもよい。
【０１７１】
制御装置２０のプロセッサ２３は、ステップＳ５６において、部屋の中の複数の位置で周波数特性を測定すると判断した場合は（ステップＳ５６において、ＹＥＳ）、処理を、図９に示したステップＳ３１に戻す。そして、ユーザ１０２が、制御装置２０とともに、部屋の中の、現在の位置とは異なる位置に移動した後、制御装置２０のプロセッサ２３は、ステップＳ３１からステップＳ５６まで処理を再度実行する。ステップＳ３１からステップＳ５６まで処理は、部屋の中の複数の位置のそれぞれで繰り返し実行される。このとき、制御装置２０のプロセッサ２３は、ユーザ１０２が制御装置２０に対して行う移動の完了を示す入力操作を受け付けて、ステップＳ３１以降の処理を再開してもよい。
【０１７２】
制御装置２０のプロセッサ２３は、ステップＳ５６において、部屋の中の１つの位置だけで周波数特性を測定すると判断した場合、または、部屋の中の複数の位置の全てにおいてステップＳ３１からステップＳ５４までの処理を実行したと判断した場合は（ステップＳ５６において、ＮＯ）、録音した第２のテスト信号に対して同期加算平均を行う（ステップＳ５７）。
【０１７３】
ここで、ステップＳ５７で実行される同期加算平均について、図１５を用いて説明する。
【０１７４】
図１５は、図１１に示したステップＳ５７で実行される同期加算平均を説明するための図である。なお、図１５において、横軸は時間を表す。
【０１７５】
一般的に、再生装置１０のデジタル／アナログ変換器１７に用いられるクロック信号（基準クロック）と、制御装置２０のアナログ／デジタル変換器２６に用いられるクロック信号（基準クロック）とは、各装置で別々に発生した互いに異なる信号である。したがって、再生装置１０においてデジタル／アナログ変換器１７に用いられるクロック信号（すなわち、再生装置１０において再生された、デジタル／アナログ変換される前のデジタルの第２のテスト信号に同期したクロック信号）の周波数と、制御装置２０においてアナログ／デジタル変換器２６に用いられるクロック信号の周波数（すなわち、マイクロホン２５で取得されたアナログの第２のテスト信号をアナログ／デジタル変換する際のサンプリング周波数）との間にずれが発生する可能性は高い。
【０１７６】
周波数特性を測定するために同期加算平均処理および畳み込み演算を行う際には、マイクロホン２５で取得されアナログ／デジタル変換器２６によってアナログ／デジタル変換された後のデジタルの第２のテスト信号の単位時間当たり（例えば、１秒間）のデータ数（デジタル信号の数）と、再生装置１０における、デジタル／アナログ変換器１７によってデジタル／アナログ変換される前のデジタルの第２のテスト信号の単位時間当たり（例えば、１秒間）のデータ数（デジタル信号の数）とが、互いに一致することが望ましい。
【０１７７】
再生装置１０におけるデジタルの第２のテスト信号の周波数と、制御装置２０でアナログ／デジタル変換器２６に用いられるクロック信号の周波数（サンプリング周波数）との間にずれがある場合、再生装置１０におけるデジタルの第２のテスト信号の単位時間当たり（例えば、１秒間）のデータ数（デジタル信号の数）と、制御装置２０においてアナログ／デジタル変換された後のデジタルの第２のテスト信号の単位時間当たり（例えば、１秒間）のデータ数（サンプリングで得られたデジタル信号の数）とが互いに一致せず、周波数の高域特性の測定結果に減衰が生じるため、周波数特性を高精度に測定することは難しい。なお、一般的な水晶発振器のクロック偏差は５０ｐｐｍ以下であるが、再生装置１０において用いられるクロック信号の周波数と制御装置２０において用いられるクロック信号の周波数との間に５０ｐｐｍのずれがあると、高域特性は１０分の１以下に減衰する。
【０１７８】
図１５の上から１段目には、再生装置１０における、デジタル／アナログ変換される前のデジタルの第２のテスト信号を示す。図１５に示す例では、第２のテスト信号は５回繰り返して再生されるものとする。
【０１７９】
再生システム３０では、再生装置１０におけるデジタルの第２のテスト信号の周波数と、制御装置２０のアナログ／デジタル変換器２６におけるサンプリング周波数との間に生じるずれを検出するために、再生装置１０において、デジタルの第２のテスト信号（１回分の第２のテスト信号）の先頭および終端にトリガ信号を挿入する。ここでは、先頭のトリガ信号と終端のトリガ信号との間に、先頭のトリガ信号を含めてＭ個のデジタルデータ（以下、サンプルという）が存在するものとする。例えば、トリガ信号として単純なパルス信号を用いると、周波数特性の測定時に生じる外乱（ノイズ）にトリガ信号が埋もれてしまい、制御装置２０においてトリガ信号を正確に検出することが難しい場合がある。したがって、本実施の形態では、トリガ信号にもエネルギーの大きなＬＯＧ−ＴＳＰ信号を用いる。これにより、ノイズにトリガ信号が埋もれてしまう可能性を低減し、制御装置２０においてトリガ信号を高精度に検出することが可能となる。
【０１８０】
図１５の上から２段目には、制御装置２０においてマイクロホン２５で取得されアナログ／デジタル変換器２６でアナログ／デジタル変換された第２のテスト信号を示す。制御装置２０のプロセッサ２３は、取得された第２のテスト信号と既知のトリガ信号との相互相関を計算し、相関が最大となる位置を先頭のトリガ信号であると判断して、先頭のトリガ信号を検出する。第２のテスト信号の位置は、先頭のトリガ信号からの相対位置として計算することができる。制御装置２０のプロセッサ２３は、先頭のトリガ信号を検出するときと同様に相互相関を用いて、終端のトリガ信号の位置を検出する。ここでは、先頭のトリガ信号と終端のトリガ信号との間に、先頭のトリガ信号を含めてＮ個のデジタルデータ（サンプル）が存在するものとする。
【０１８１】
そして、図１５の上から１段目に示した第２のテスト信号のサンプル数Ｍと、図１５の上から２段目に示した第２のテスト信号のサンプル数Ｎとの比が、サンプリング周波数のずれとなる。制御装置２０においてインパルス応答を高精度に測定するためには、このずれを補正する必要がある。
【０１８２】
図１５の上から３段目には、制御装置２０においてサンプルレート変換された第２のテスト信号を示す。制御装置２０では、サンプリング周波数のずれを補正するために、制御装置２０のプロセッサ２３において、マイクロホン２５で取得されアナログ／デジタル変換器２６でアナログ／デジタル変換された第２のテスト信号に対して、Ｍ／Ｎ倍の非同期サンプルレート変換を実施する。そして、図１５の上から２段目に示す第２のテスト信号のサンプル数を、図１５の上から１段目に示す第２のテスト信号と同一のサンプル数に変換し、図１５の上から３段目に示す第２のテスト信号とする。制御装置２０では、マイクロホン２５で取得されアナログ／デジタル変換器２６でアナログ／デジタル変換された第２のテスト信号に対して、上述のサンプルレート変換を行うことで、サンプリング周波数のずれによる高域特性の劣化を抑制した高精度の測定が可能になる。
【０１８３】
上述した本実施の形態に示すサンプルレート変換処理には、制御装置２０において、取得したデジタルデータの約６４倍のメモリ容量を必要とする。しかし、スマートホンは一般的に大容量のメモリを備えているので、スマートホンに備えられているメモリを用いて、上述のサンプルレート変換処理を実現することは可能である。
【０１８４】
図１５の上から４段目は、同期加算平均された信号を示す。制御装置２０のプロセッサ２３は、上述したサンプルレート変換を実行した後の、時間的に連続した複数（例えば、５つ）の第２のテスト信号に対して同期加算平均の演算処理を施すことにより、周波数特性の測定時における無相関なランダムノイズの影響を低減することができる。そして、制御装置２０のプロセッサ２３は、同期加算平均した第２のテスト信号に対して複素共役な逆信号と畳み込みを行うことで、インパルス応答を計算する。
【０１８５】
図１１のフローチャートに戻ってステップＳ５７以降の処理を説明する。
【０１８６】
制御装置２０のプロセッサ２３は、ステップＳ５７の処理を実行した後、ステップＳ５２で録音した第２のテスト信号（デジタルの音声信号）に対して、ＦＦＴを行う（ステップＳ５８）。これにより、制御装置２０のプロセッサ２３は、ステップＳ５２で録音した第２のテスト信号における周波数と信号レベルとの関係を把握できる。
【０１８７】
次に、制御装置２０のプロセッサ２３は、部屋の周波数特性を計算する（ステップＳ５９）。制御装置２０のプロセッサ２３は、第２のテスト信号に対する部屋のインパルス応答に基づいて、部屋の周波数特性を計算する。
【０１８８】
次に、制御装置２０のプロセッサ２３は、再生装置１０に設定する周波数特性の補正係数を計算する（ステップＳ６０）。この補正係数は、原理的には、補正の目標とする周波数特性と測定した周波数特性との比として算出することができる。
【０１８９】
ここで、図１６および図１７を用いて、再生システム３０において補正の目標とする周波数特性と測定した周波数特性との比較例を示す。
【０１９０】
図１６は、図６に示した周波数特性測定処理（ステップＳ４）で計算された補正係数を再生装置１０に設定する前の、補正の目標とする周波数特性の一例と、測定された周波数特性の一例とを模式的に示すグラフである。
【０１９１】
図１７は、図６に示した周波数特性測定処理（ステップＳ４）で計算された補正係数を再生装置１０に設定した後の、補正の目標とする周波数特性の一例と、測定された周波数特性の一例とを模式的に示すグラフである。なお、図１６および図１７では、補正の目標とする周波数特性を実線で示し、測定された周波数特性を破線で示す。また、図１６および図１７において、縦軸は信号レベルを表し、横軸は周波数を表す。
【０１９２】
再生システム３０では、制御装置２０のプロセッサ２３において、ステップＳ４の周波数特性測定処理を実行し、その周波数特性測定処理で計算された補正係数を再生装置１０のプロセッサ１２に設定する。これにより、図１６に示す補正係数を設定する前の周波数特性（破線）と、図１７に示す補正係数を設定した後の周波数特性（破線）との比較からわかるように、再生装置１０に接続されたスピーカ１８から再生されてユーザ１０２の耳に届く音の周波数特性を、補正の目標とする周波数特性に近づけることができる。
【０１９３】
次に、ステップＳ５１〜ステップＳ５３において再生装置１０と制御装置２０との間で行われる通信を、図１４のシーケンス図を用いて説明する。
【０１９４】
図１４は、図６に示したステップＳ４およびステップＳ５を実行するときの、実施の形態１における再生装置１０と制御装置２０との間で行われる通信の一例を示すシーケンス図である。
【０１９５】
図１４に示すように、制御装置２０は、第２のテスト信号の再生を再生装置１０に指示する第２の制御信号（第２のテスト信号の再生の指示信号）を、再生装置１０に送信する（ステップＳ５１）。
【０１９６】
ステップＳ５１で制御装置２０から送信された第２の制御信号を受信した再生装置１０は、受信した第２の制御信号に応じて、第２のテスト信号の再生を開始する（ステップＳ８３）。
【０１９７】
制御装置２０は、第２のテスト信号の録音を開始する（ステップＳ５２）。
【０１９８】
再生装置１０は、予め決められた回数（例えば、合計で約１０秒間に相当する回数）、第２のテスト信号を繰り返し再生する。制御装置２０は、その間、第２のテスト信号の録音を継続する。
【０１９９】
再生装置１０は、第２のテスト信号の繰り返しの再生を予め決められた回数（例えば、合計で約１０秒間に相当する回数）行った後、第２のテスト信号の再生を終了する（ステップＳ８４）。
【０２００】
制御装置２０は、第２のテスト信号の録音を終了する（ステップＳ５３）。
【０２０１】
次に、図６に示した補正係数設定処理（ステップＳ５）の詳細を、図１２のフローチャートを用いて説明する。
【０２０２】
図１２は、図６に示した補正係数設定処理（ステップＳ５）のサブルーチンの一例を示すフローチャートである。
【０２０３】
補正係数設定処理（ステップＳ５）では、制御装置２０のプロセッサ２３は、図１２のフローチャートに示すように、まず、図１１に示したステップＳ６０で算出された補正係数を再生装置１０に通知する第３の制御信号（補正係数の通知信号）を、通信回路２２およびアンテナ２１を介して再生装置１０に送信する（ステップＳ７１）。制御装置２０のプロセッサ２３は、第３の制御信号に含まれる補正係数を再生装置１０のＤＳＰ１６に設定することを再生装置１０に指示する信号、および、その補正係数を再生装置１０の記憶装置１１に記憶することを再生装置１０に指示する信号を、第３の制御信号に含めて、再生装置１０に送信する。
【０２０４】
再生装置１０のプロセッサ１２は、ステップＳ７１で制御装置２０から送信された第３の制御信号を、アンテナ１４および通信回路１３を介して受信する。再生装置１０のプロセッサ１２は、第３の制御信号を受信したことを制御装置２０に応答する信号（補正係数の応答信号）を、通信回路１３およびアンテナ１４を介して制御装置２０に送信する。
【０２０５】
制御装置２０のプロセッサ２３は、再生装置１０から送信された補正係数の応答信号を、アンテナ２１および通信回路２２を介して受信する（ステップＳ７２）。
【０２０６】
再生装置１０のプロセッサ１２は、ステップＳ７１で制御装置２０から送信された第３の制御信号に応じて、受信した第３の制御信号に含まれる補正係数を再生装置１０のＤＳＰ１６に設定し、さらに、その補正係数を再生装置１０の記憶装置１１に記憶する（図１４にステップＳ８５として示す）。
【０２０７】
なお、制御装置２０のプロセッサ２３は、第３の制御信号を再生装置１０に送信する動作を、第３の制御信号に対する応答信号を再生装置１０から受信できるまで、予め決められた回数（例えば、３回、等）繰り返し行ってもよい。また、制御装置２０は、第３の制御信号を再生装置１０に送信する動作を予め決められた回数（例えば、３回）行っても、第３の制御信号に対する応答信号を再生装置１０から受信できなかった場合に、応答信号を受信できなかったことを示すエラーメッセージをディスプレイ２９に表示してもよい。また、制御装置２０は、その後、処理を終了してもよい。
【０２０８】
次に、再生装置１０から送信された応答信号をステップＳ７２で受信した制御装置２０のプロセッサ２３は、設定完了音（補正係数の設定が完了したことを示す音）の再生を再生装置１０に指示する信号（設定完了音の再生の指示信号）を、通信回路２２およびアンテナ２１を介して再生装置１０に送信する（ステップＳ７３）。
【０２０９】
再生装置１０のプロセッサ１２は、ステップＳ７３で制御装置２０から送信された設定完了音の再生の指示信号を、アンテナ１４および通信回路１３を介して受信する。再生装置１０のプロセッサ１２は、受信した指示信号に応じて、設定完了音を再生する。このとき、再生装置１０のプロセッサ１２は、例えば、第２のテスト信号を再生したときと同じ音量で設定完了音を再生してもよい。また、設定完了音は、ユーザ１０２に補正係数の設定が完了したことを示す音であればよく、ビープ音、メロディ、または音声メッセージ等、どのような音であってもよい。
【０２１０】
次に、制御装置２０のプロセッサ２３は、ディスプレイ２９に、設定完了メッセージ（補正係数の設定が完了したことを示すメッセージ）を表示する（ステップＳ７４）。
【０２１１】
次に、制御装置２０のプロセッサ２３は、音響補正処理の開始前に再生装置１０にトーンコントロールが設定されていたか否かを判断する（ステップＳ７５）。
【０２１２】
制御装置２０のプロセッサ２３は、ステップＳ７５において、再生装置１０にトーンコントロールが設定されていたと判断した場合は（ステップＳ７５において、ＹＥＳ）、再生装置１０にトーンコントロールの元の設定値を再設定するか否かを判断する（ステップＳ７６）。なお、ステップＳ７６の判断は、例えば、ユーザ１０２の指示に基づいて行われてもよく、あるいはステップＳ７５における判断の結果に基づいて行われてもよく（例えば、ステップＳ７５においてＹＥＳの場合は、ステップＳ７６においてもＹＥＳとする、等）、またはその他の判断基準で行われてもよい。
【０２１３】
制御装置２０のプロセッサ２３は、ステップＳ７６において、再生装置１０にトーンコントロールの元の設定値を再設定すると判断した場合は（ステップＳ７６において、ＹＥＳ）、図７に示したステップＳ１３において制御装置２０の記憶装置２４に記憶したトーンコントロールの設定値を、記憶装置２４から読み出す。そして、制御装置２０のプロセッサ２３は、読み出したトーンコントロールの設定値を通知する信号（トーンコントロールの設定値の通知信号）を、通信回路２２およびアンテナ２１を介して再生装置１０に送信する（ステップＳ７７）。
【０２１４】
再生装置１０のプロセッサ１２は、ステップＳ７７で制御装置２０から送信されたトーンコントロールの設定値の通知信号を、アンテナ１４および通信回路１３を介して受信する。再生装置１０のプロセッサ１２は、その通知信号を受信した後、その通知信号に応答する信号（トーンコントロールの設定値の応答信号）を、通信回路１３およびアンテナ１４を介して制御装置２０に送信する。
【０２１５】
制御装置２０のプロセッサ２３は、再生装置１０から送信されたトーンコントロールの設定値の応答信号を、アンテナ２１および通信回路２２を介して受信する（ステップＳ７８）。
【０２１６】
再生装置１０のプロセッサ１２は、ステップＳ７７で制御装置２０から送信されたトーンコントロールの設定値の通知信号に応じて、その通知信号に含まれるトーンコントロールの設定値をＤＳＰ１６に設定する（図１４にステップＳ８６として示す）。
【０２１７】
次に、制御装置２０のプロセッサ２３は、図７に示したステップＳ１３において制御装置２０の記憶装置２４に記憶した入力セレクタおよび音量の各設定値を、記憶装置２４から読み出す。そして、制御装置２０のプロセッサ２３は、読み出した入力セレクタおよび音量の各設定値を通知する信号（入力セレクタおよび音量の設定値の通知信号）を、通信回路２２およびアンテナ２１を介して再生装置１０に送信する（ステップＳ７９）。
【０２１８】
再生装置１０のプロセッサ１２は、ステップＳ７９で制御装置２０から送信された入力セレクタおよび音量の設定値の通知信号を、アンテナ１４および通信回路１３を介して受信する。再生装置１０のプロセッサ１２は、その通知信号を受信した後、その通知信号に応答する信号（入力セレクタおよび音量の設定値の応答信号）を、通信回路１３およびアンテナ１４を介して制御装置２０に送信する。
【０２１９】
制御装置２０のプロセッサ２３は、再生装置１０から送信された入力セレクタおよび音量の設定値の応答信号を、アンテナ２１および通信回路２２を介して受信する（ステップＳ８０）。
【０２２０】
再生装置１０のプロセッサ１２は、ステップＳ７９で制御装置２０から送信された入力セレクタおよび音量の設定値の通知信号に応じて、その通知信号に含まれる入力セレクタおよび音量の各設定値をＤＳＰ１６に設定する（図１４にステップＳ８７として示す）。
【０２２１】
次に、ステップＳ７１〜ステップＳ８０において再生装置１０および制御装置２０で実行される処理を、図１４のシーケンス図を用いて説明する。
【０２２２】
図１４に示すように、制御装置２０は、ステップＳ６０で算出した補正係数を再生装置１０に通知する第３の制御信号（補正係数の通知信号）を、再生装置１０に送信する（ステップＳ７１）。
【０２２３】
ステップＳ７１で制御装置２０から送信された第３の制御信号を受信した再生装置１０は後、受信した第３の制御信号に応答する信号（補正係数の応答信号）を、制御装置２０に送信する。
【０２２４】
制御装置２０は、再生装置１０から送信された補正係数の応答信号を受信する（ステップＳ７２）。
【０２２５】
ステップＳ７１で制御装置２０から送信された第３の制御信号を受信した再生装置１０は、受信した第３の制御信号に応じて、第３の制御信号に含まれる補正係数を再生装置１０のＤＳＰ１６に設定し、さらに、その補正係数を再生装置１０の記憶装置１１に記憶する（ステップＳ８５）。
【０２２６】
再生装置１０から送信された補正係数の応答信号をステップＳ７２で受信した制御装置２０は、設定完了音の再生を再生装置１０に指示する信号（設定完了音の再生の指示信号）を再生装置１０に送信する（ステップＳ７３）。
【０２２７】
ステップＳ７３で制御装置２０から送信された設定完了音の再生の指示信号を受信した再生装置１０は、受信した指示信号に応じて、設定完了音を再生する。
【０２２８】
次に、制御装置２０は、記憶装置２４から読み出したトーンコントロールの設定値を通知する信号（トーンコントロールの設定値の通知信号）を再生装置１０に送信する（ステップＳ７７）。
【０２２９】
ステップＳ７７で制御装置２０から送信されたトーンコントロールの設定値の通知信号を受信した再生装置１０は、受信した通知信号に応答する信号（トーンコントロールの設定値の応答信号）を、制御装置２０に送信する。
【０２３０】
制御装置２０は、再生装置１０から送信されたトーンコントロールの設定値の応答信号を受信する（ステップＳ７８）。
【０２３１】
ステップＳ７７で制御装置２０から送信されたトーンコントロールの設定値の通知信号を受信した再生装置１０は、受信した通知信号に応じて、その通知信号に含まれるトーンコントロールの設定値を再生装置１０のＤＳＰ１６に設定する（ステップＳ８６）。
【０２３２】
次に、制御装置２０は、記憶装置２４から読み出した入力セレクタおよび音量の各設定値を通知する信号（入力セレクタおよび音量の設定値の通知信号）を再生装置１０に送信する（ステップＳ７９）。
【０２３３】
ステップＳ７９で制御装置２０から送信された入力セレクタおよび音量の設定値の通知信号を受信した再生装置１０は、受信した通知信号に応答する信号（入力セレクタおよび音量の設定値の応答信号）を、制御装置２０に送信する。
【０２３４】
制御装置２０は、再生装置１０から送信された入力セレクタおよび音量の設定値の応答信号を受信する（ステップＳ８０）。
【０２３５】
ステップＳ７９で制御装置２０から送信された入力セレクタおよび音量の設定値の通知信号を受信した再生装置１０は、受信した通知信号に応じて、その通知信号に含まれる入力セレクタおよび音量の各設定値を再生装置１０のＤＳＰ１６に設定する（ステップＳ８７）。
【０２３６】
［１−６．効果等］
以上のように、本実施の形態において、制御装置は、部屋に設置されたスピーカに接続または一体化された再生装置の周波数特性を制御する制御装置である。その制御装置は、再生装置と通信する第１の通信回路と、スピーカから発生された音声信号を取得するマイクロホンと、第１の制御回路と、を備える。第１の制御回路は、マイクロホンにより部屋の暗騒音を取得し、予め決められた複数の周波数における暗騒音の信号レベルを計算し、予め決められた音量を有する第１のテスト信号をスピーカから再生することを指示する第１の制御信号を、第１の通信回路を介して再生装置に送信し、マイクロホンにより第１のテスト信号を取得し、取得した第１のテスト信号の信号レベルを計算し、予め決められた音量および予め決められた周波数特性を有する第２のテスト信号について、第１のテスト信号の信号レベルを基準として、予め決められた複数の周波数における第２のテスト信号の信号レベルを推定し、予め決められた複数の周波数のうちの少なくとも１つの周波数において、推定した第２のテスト信号の信号レベルから予め決められた値を減算した信号レベルが暗騒音の信号レベル以下であるとき、第２のテスト信号の音量の設定値を増大させ、設定値に係る音量を有する第２のテスト信号をスピーカから再生することを指示する第２の制御信号を、第１の通信回路を介して再生装置に送信し、マイクロホンにより第２のテスト信号を取得し、取得した第２のテスト信号に基づいて部屋の周波数応答を計算し、計算した部屋の周波数応答に基づいて再生装置に設定する周波数特性の補正係数を計算し、再生装置に設定する周波数特性の補正係数を含む第３の制御信号を、第１の通信回路を介して再生装置に送信する。
【０２３７】
なお、制御装置２０は制御装置の一例である。再生装置１０は再生装置の一例である。スピーカ１８は、再生装置に接続または一体化されたスピーカの一例である。通信回路２２は第１の通信回路の一例である。マイクロホン２５はマイクロホンの一例である。プロセッサ２３は第１の制御回路の一例である。１００Ｈｚおよび１０ｋＨｚは予め決められた複数の周波数の一例である。図１３に示した第１のテスト信号の再生の指示信号は、第１の制御信号の一例である。信号レベルＴ１は、第１のテスト信号の信号レベルの一例である。信号レベルＴ２（ｆ）は、予め決められた複数の周波数ｆにおける第２のテスト信号の信号レベルの一例である。測定マージンＭは、第２のテスト信号の信号レベルから減算する予め決められた値の一例である。暗騒音の許容信号レベルＮａ（ｆ）は、第２のテスト信号の信号レベルから予め決められた値を減算した信号レベルの一例であり、計算式Ｎａ（ｆ）＝Ｔ１−Ｄ（ｆ）−Ｍは、暗騒音の許容信号レベルＮａ（ｆ）を算出する計算式の一例である。図１４に示した第２のテスト信号の再生の指示信号は、第２の制御信号の一例である。計算式Ｔ２（ｆ）＝Ｔ１−Ｄ（ｆ）は、予め決められた複数の周波数ｆにおける第２のテスト信号の信号レベルを推定するときに用いる計算式の一例である。図１４に示した補正係数の通知信号は、第３の制御信号の一例である。
【０２３８】
例えば、実施の形態１に示した例では、制御装置２０は、部屋に設置されたスピーカ１８に接続または一体化された再生装置１０を制御して、スピーカ１８から再生される音の周波数特性を制御する。制御装置２０は、再生装置１０と通信する通信回路２２と、スピーカ１８から発生された音声信号を取得するマイクロホン２５と、プロセッサ２３と、を備える。プロセッサ２３は、マイクロホン２５により部屋の暗騒音を取得し、予め決められた複数の周波数ｆ（例えば、１００Ｈｚおよび１０ｋＨｚ）における暗騒音の信号レベルを計算する。また、プロセッサ２３は、予め決められた音量を有する第１のテスト信号をスピーカ１８から再生することを指示する第１の制御信号（第１のテスト信号の再生の指示信号）を、通信回路２２を介して再生装置１０に送信する。また、プロセッサ２３は、マイクロホン２５により、スピーカ１８から再生された第１のテスト信号を取得し、取得した第１のテスト信号の信号レベルＴ１を計算する。また、プロセッサ２３は、予め決められた音量および予め決められた周波数特性を有する第２のテスト信号について、第１のテスト信号の信号レベルＴ１を基準として、予め決められた複数の周波数ｆ（例えば、１００Ｈｚおよび１０ｋＨｚ）における第２のテスト信号の信号レベルＴ２（ｆ）を推定する。また、プロセッサ２３は、予め決められた複数の周波数ｆ（例えば、１００Ｈｚおよび１０ｋＨｚ）のそれぞれで、推定した第２のテスト信号の信号レベルＴ２（ｆ）から予め決められた測定マージンＭの値を減算して暗騒音の許容信号レベルＮａ（ｆ）を算出し、予め決められた複数の周波数ｆのうちの少なくとも１つの周波数において、暗騒音の許容信号レベルＮａ（ｆ）が暗騒音の信号レベル以下であるとき、第２のテスト信号の音量の設定値を増大させる。また、プロセッサ２３は、当該設定値に係る音量を有する第２のテスト信号をスピーカ１８から再生することを指示する第２の制御信号（第２のテスト信号の再生の指示信号）を、通信回路２２を介して再生装置１０に送信する。また、プロセッサ２３は、マイクロホン２５により、スピーカ１８から再生された第２のテスト信号を取得する。また、プロセッサ２３は、取得した第２のテスト信号に基づいて部屋の周波数応答を計算し、計算により得られた部屋の周波数応答に基づいて、再生装置１０に設定する周波数特性の補正係数を計算する。また、プロセッサ２３は、再生装置１０に設定する周波数特性の補正係数を含む第３の制御信号（補正係数の通知信号）を、通信回路２２を介して再生装置１０に送信する。
【０２３９】
当該制御装置において、第１の制御回路は、取得した第１のテスト信号の信号レベルが予め決められたしきい値を超えるとき、第２のテスト信号の音量の設定値を減少させてもよい。
【０２４０】
例えば、実施の形態１に示した制御装置２０において、プロセッサ２３は、取得した第１のテスト信号の信号レベルＴ１が予め決められたしきい値（例えば、−６ｄＢ）を超えるとき、第２のテスト信号の音量の設定値を現在の設定値から減少させる。
【０２４１】
当該制御装置において、第１のテスト信号は正弦波であってもよい。
【０２４２】
例えば、実施の形態１に示した制御装置２０において、第１のテスト信号は、周波数が１ｋＨｚに設定された正弦波である。
【０２４３】
当該制御装置において、第２のテスト信号は、ＬＯＧ−ＴＳＰ信号であってもよい。
【０２４４】
例えば、実施の形態１に示した制御装置２０において、第２のテスト信号は、ＬＯＧ−ＴＳＰ信号である。
【０２４５】
当該制御装置は、スマートホンまたはタブレットコンピュータであってもよい。
【０２４６】
例えば、実施の形態１に示した制御装置２０は、マイクロホン２５を備えたスマートホンである。
【０２４７】
本実施の形態における再生システムは、部屋に設置されたスピーカに接続または一体化された再生装置と、上述の制御装置と、を含む再生システムである。再生装置は、制御装置と通信する第２の通信回路と、可変な周波数特性を有する信号処理回路と、第２の制御回路と、を備える。第２の制御回路は、第２の通信回路を介して制御装置から受信した第１の制御信号に応じて、第１のテスト信号をスピーカから再生し、第２の通信回路を介して制御装置から受信した第２の制御信号に応じて、第２のテスト信号をスピーカから再生し、第２の通信回路を介して制御装置から受信した第３の制御信号に応じて、信号処理回路の周波数特性を補正する。
【０２４８】
なお、再生システム３０は再生システムの一例である。通信回路１３は第２の通信回路の一例である。ＤＳＰ１６は信号処理回路の一例である。プロセッサ１２は第２の制御回路の一例である。
【０２４９】
例えば、実施の形態１に示した例では、再生システム３０は、部屋に設置されたスピーカ１８に接続または一体化された再生装置１０と、制御装置２０と、を含む。再生装置１０は、制御装置２０と通信する通信回路１３と、可変な周波数特性を有するＤＳＰ１６と、プロセッサ１２と、を備える。プロセッサ１２は、通信回路１３を介して制御装置２０から受信した第１の制御信号（第１のテスト信号の再生の指示信号）に応じて、第１のテスト信号をスピーカ１８から再生し、通信回路１３を介して制御装置２０から受信した第２の制御信号（第２のテスト信号の再生の指示信号）に応じて、第２のテスト信号をスピーカ１８から再生し、通信回路１３を介して制御装置２０から受信した第３の制御信号（補正係数の通知信号）に応じて、ＤＳＰ１６の周波数特性を補正する。
【０２５０】
また、本実施の形態における制御方法は、部屋に設置されたスピーカに接続または一体化された再生装置の周波数特性を、再生装置の外部の制御装置により制御する制御方法である。制御装置は、再生装置と通信する第１の通信回路と、スピーカから発生された音声信号を取得するマイクロホンと、第１の制御回路と、を備える。制御方法は、マイクロホンにより部屋の暗騒音を取得し、予め決められた複数の周波数における暗騒音の信号レベルを計算するステップ（例えば、ステップＳ２およびステップＳ４０）と、予め決められた音量を有する第１のテスト信号をスピーカから再生することを指示する第１の制御信号を、第１の通信回路を介して再生装置に送信するステップ（例えば、ステップＳ３１）と、マイクロホンにより第１のテスト信号を取得し、取得した第１のテスト信号の信号レベルを計算するステップ（例えば、ステップＳ３２およびステップＳ３７）と、予め決められた音量および予め決められた周波数特性を有する第２のテスト信号について、第１のテスト信号の信号レベルを基準として、予め決められた複数の周波数における第２のテスト信号の信号レベルを推定するステップ（例えば、ステップＳ３８）と、予め決められた複数の周波数のうちの少なくとも１つの周波数において、推定した第２のテスト信号の信号レベルから予め決められた値を減算した信号レベルが暗騒音の信号レベル以下であるとき、第２のテスト信号の音量の設定値を増大させるステップ（例えば、ステップＳ４３およびステップＳ４７）と、設定値に係る音量を有する第２のテスト信号をスピーカから再生することを指示する第２の制御信号を、第１の通信回路を介して再生装置に送信するステップ（例えば、ステップＳ５１）と、マイクロホンにより第２のテスト信号を取得し、取得した第２のテスト信号に基づいて部屋の周波数応答を計算し、計算した部屋の周波数応答に基づいて再生装置に設定する周波数特性の補正係数を計算するステップ（例えば、ステップＳ５２、ステップＳ５９およびステップＳ６０）と、再生装置に設定する周波数特性の補正係数を含む第３の制御信号を、第１の通信回路を介して再生装置に送信するステップ（例えば、ステップＳ７１）と、を含む。
【０２５１】
また、本実施の形態におけるプログラムは、部屋に設置されたスピーカに接続または一体化された再生装置の周波数特性を制御する制御装置のためのプログラムである。当該制御装置は、再生装置と通信する第１の通信回路と、スピーカから発生された音声信号を取得するマイクロホンと、当該プログラムを実行する第１の制御回路と、を備える。当該プログラムは、第１の制御回路に読み取り可能な記憶装置に記憶され、上述の制御方法における各ステップを第１の制御回路に実行させる。
【０２５２】
以上のように構成された再生システム、制御装置、制御方法、またはプログラムによれば、測定専用のマイクロホン等の測定機器を用いずとも、スマートホン等のような、マイクロホンを備えた任意の汎用の装置を制御装置として用いて部屋の周波数特性を測定することができるので、従来よりも少ない手間で部屋の周波数特性を測定することができる。したがって、その再生システムを使用するユーザの利便性を向上することができる。
【０２５３】
例えば、実施の形態に示した再生システム３０では、制御装置２０としてスマートホンまたはタブレットコンピュータを用いることが可能である。これにより、再生システム３０では、従来技術のような、周波数特性の測定に用いられる測定専用の機器を用いずとも、部屋の周波数特性を測定することができる。
【０２５４】
また、再生システム３０を使用するユーザ１０２には、制御装置２０として用いるスマートホンまたはタブレットコンピュータ上で動作するアプリケーションソフトウエアとして、本実施の形態に示した測定方法を実行するプログラムを提供することができる。したがって、再生システム３０を使用するユーザ１０２は、そのアプリケーションソフトウエアを実行するスマートホンまたはタブレットコンピュータを操作することにより、比較的簡単に部屋の周波数特性を測定することができる。したがって、周波数特性の測定に再生システム３０を使用するユーザ１０２の利便性を向上することができる。
【０２５５】
また、スマートホンまたはタブレットコンピュータ上で周波数特性の測定時に使用されるアプリケーションソフトウエアは、そのアプリケーションソフトウエアの動作時に、周波数特性の測定に際してユーザ１０２に求められる入力操作を誘導するようにデザインされた画面がディスプレイ２９に表示されるように構成することができる。このように構成されたアプリケーションソフトウエアを備えた再生システム３０では、再生システム３０を使用するユーザ１０２が、周波数特性の測定に関する専門知識を有していなくても、アプリケーションソフトウエアによって誘導される入力操作を行うだけで、比較的簡単に部屋の周波数特性を測定し、再生装置１０に接続されたスピーカ１８から再生される音の周波数特性を調整することができる。
【０２５６】
また、実施の形態に示した再生システム３０では、第１のテスト信号を用いて第２のテスト信号の再生音量を調整することができるので、部屋の暗騒音の影響を低減しながら部屋の周波数特性を測定することができる。
【０２５７】
再生システム３０においては、制御装置２０が、このようにして測定した部屋の周波数特性に基づき算出した周波数特性の補正係数を再生装置１０のＤＳＰ１６に設定することで、再生装置１０に接続されたスピーカ１８から再生される音の周波数特性を制御することができる。したがって、再生システム３０においては、再生システム３０が設置された部屋におけるスピーカ１８の位置およびユーザ１０２の位置に応じて適切な補正を施した再生音を、再生装置１０に接続されたスピーカ１８から出力することができる。
【０２５８】
また、実施の形態に示した再生システム３０では、第２のテスト信号としてＬＯＧ−ＴＳＰ信号を用いることにより、再生装置１０において再生可能な周波数帯域の全体にわたって良好な信号対雑音比を確保して、部屋の周波数特性を測定することができる。
【０２５９】
また、第１のテスト信号の信号レベルＴ１が予め決められたしきい値（例えば、−６ｄＢ）を超えるような場合は、信号レベルＴ１が飽和（クリップ）する可能性がある。このような場合、第２のテスト信号の音量がそれまでの設定値のままだと、部屋の周波数特性を正確に測定できない可能性がある。しかし、実施の形態に示した再生システム３０では、そのような場合に、制御装置２０のプロセッサ２３が、第２のテスト信号の音量の設定値を、それまでの設定値から減少させるので、部屋の周波数特性を、精度を高めて測定することができる。
【０２６０】
以下に、実施の形態に示した再生システム３０における、部屋の周波数特性の測定結果の例を、実側例１、実側例２として説明する。
【実側例１】
【０２６１】
図１８は、実施の形態１における制御装置２０で測定された暗騒音の信号レベルの一例を示すグラフである。
【０２６２】
図１９は、実施の形態１における制御装置２０で測定された第２のテスト信号の信号レベルの一例を示すグラフである。
【０２６３】
図２０は、実施の形態１における制御装置２０で測定された第１のテスト信号、第２のテスト信号、および暗騒音の信号レベルの一例を示すグラフである。
【０２６４】
図１８〜図２０は、制御装置２０としてスマートホンを用い、スマートホンに内蔵されたマイクロホンによって測定された第１のテスト信号、第２のテスト信号、および暗騒音の信号レベルの一例を示す。図１８〜図２０において、縦軸は信号レベルを表し、横軸は周波数を表す。
【０２６５】
図１９に示す第２のテスト信号の信号レベルは、実施の形態１に示した制御方法によって音量が調整されて再生された第２のテスト信号の測定結果である。また、図１９には、実施の形態１に示した制御方法によって推定された第２のテスト信号の信号レベルを斜めの実線で示す。図１９に示すグラフからわかるように、推定された第２のテスト信号の信号レベルは、測定された第２のテスト信号の信号レベルに近似している。なお、図２０に斜めの実線で示す第２のテスト信号は、図１９に斜めの実線で示した第２のテスト信号と同じものである。また、図２０には、推定された第２のテスト信号の信号レベルから予め決められた測定マージンを減算して算出した暗騒音の許容信号レベルを、斜めの破線で示す。
【０２６６】
図２０に示した例では、暗騒音の信号レベルは、相対的に周波数が高い高域側よりも相対的に周波数が低い低域側において相対的に大きくなっており、低域側では高域側よりも暗騒音と第２のテスト信号との間の差（マージン）が小さい。
【０２６７】
しかし、図２０に示すように、予め決められた複数の周波数ｆ（例えば、ｆ＝１００Ｈｚおよび１０ｋＨｚ）において、暗騒音の信号レベルは、暗騒音の許容信号レベルを下回っており、再生システム３０では、調整された音量で第２のテスト信号が再生されることで、暗騒音の影響を抑えて周波数特性の測定を行えることがわかる。
【０２６８】
このように、実施の形態に係る再生システム３０では、スマートホンに備えられたマイクロホンを用いて、第１のテスト信号、第２のテスト信号および暗騒音の測定を行うことができる。そして、測定された第１のテスト信号を用いて第２のテスト信号を再生する音量を調整することにより、暗騒音の影響を抑えて周波数特性の測定を行うことができる。
【実側例２】
【０２６９】
図２１は、実施の形態１における制御装置２０で測定された暗騒音の信号レベルの他の一例を示すグラフである。
【０２７０】
図２２は、実施の形態１における制御装置２０で測定された第２のテスト信号の信号レベルの他の一例を示すグラフである。
【０２７１】
図２３は、実施の形態１における制御装置２０で測定された第１のテスト信号、第２のテスト信号、および暗騒音の信号レベルの他の一例を示すグラフである。
【０２７２】
図２１〜図２３は、制御装置２０としてスマートホンを用い、スマートホンに内臓されたマイクロホンではなく、スマートホンに外付けされたマイクロホンによって測定された第１のテスト信号、第２のテスト信号、および暗騒音の信号レベルの一例を示す。図２１〜図２３において、縦軸は信号レベルを表し、横軸は周波数を表す。
【０２７３】
図２２に示す第２のテスト信号の信号レベルは、実施の形態１に示した制御方法によって音量が調整されて再生された第２のテスト信号の測定結果である。また、図２２には、実施の形態１に示した制御方法によって推定された第２のテスト信号の信号レベルを斜めの実線で示す。図２２に示すグラフからわかるように、推定された第２のテスト信号の信号レベルは、測定された第２のテスト信号の信号レベルに近似している。なお、図２３に斜めの実線で示す第２のテスト信号は、図２２に斜めの実線で示した第２のテスト信号と同じものである。また、図２３には、推定された第２のテスト信号の信号レベルから予め決められた測定マージンを減算して算出された暗騒音の許容信号レベルを、斜めの破線で示す。
【０２７４】
図２３に示した例では、暗騒音の信号レベルは、相対的に周波数が高い高域側よりも相対的に周波数が低い低域側において相対的に大きくなっており、低域側では高域側よりも暗騒音と第２のテスト信号との間の差（マージン）が小さい。
【０２７５】
しかし、図２３に示すように、予め決められた複数の周波数ｆ（例えば、ｆ＝１００Ｈｚおよび１０ｋＨｚ）において、暗騒音の信号レベルは、暗騒音の許容信号レベルを下回っており、再生システム３０では、調整された音量で第２のテスト信号が再生されることで、暗騒音の影響を抑えて周波数特性の測定を行えることがわかる。
【０２７６】
このように、本実施の形態に係る再生システム３０では、スマートホンに外付けされたマイクロホンを用いても、スマートホンに内蔵されたマイクロホンを使用した場合と同様に、第１のテスト信号、第２のテスト信号および暗騒音の測定を行うことができる。そして、測定された第１のテスト信号を用いて第２のテスト信号を再生する音量を調整することにより、暗騒音の影響を抑えて周波数特性の測定を行うことができる。
【０２７７】
（他の実施の形態）
以上のように、本出願において開示する技術の例示として、実施の形態１を説明した。しかしながら、本開示における技術は、これに限定されず、適宜、変更、置き換え、付加、省略等を行った実施の形態にも適用可能である。また、上記実施の形態１で説明した各構成要素を組み合わせて、新たな実施の形態とすることも可能である。
【０２７８】
そこで、以下、他の実施の形態を例示する。
【０２７９】
実施の形態では、記憶装置１１および記憶装置２４をフラッシュメモリとして説明したが、記憶装置１１および記憶装置２４は何らフラッシュメモリに限定されない。記憶装置１１および記憶装置２４の少なくとも一方は、フラッシュメモリ以外の半導体記憶装置であってもよく、または、ハードディスク等の磁気を利用した記憶装置等であってもよい。
【０２８０】
実施の形態では、ソース装置１５を、音楽等の音声信号（デジタルの音声信号）の発生源として説明した。ソース装置１５は、例えば、ＣＤドライブ、ハードディスクドライブ、着脱可能な記憶媒体のドライブ等であってもよい。あるいは、ソース装置１５は、有線ＬＡＮ（Ｌｏｃａｌ  Ａｒｅａ  Ｎｅｔｗｏｒｋ）、無線ＬＡＮ、またはＢｌｕｅｔｏｏｔｈ（登録商標）等によって、再生装置１０の外部の音声信号発生源に接続された通信回路であってもよい。
【０２８１】
実施の形態では、再生装置１０においてデジタル／アナログ変換器１７とスピーカ１８とが直接接続され、制御装置２０においてデジタル／アナログ変換器２７とスピーカ２８とが直接接続された構成を説明したが、本開示は何らこの構成に限定されない。デジタル／アナログ変換器１７とスピーカ１８との間に信号増幅器が備えられていてもよい。また、デジタル／アナログ変換器２７とスピーカ２８との間に信号増幅器が備えられていてもよい。
【０２８２】
実施の形態１では、制御装置２０が、タッチパネルを一体化したディスプレイ２９を備える構成例を説明したが、本開示は何らこの構成に限定されない。制御装置２０は、タッチパネルに代えて、またはタッチパネルに加えて、ディスプレイ２９とは別個に設けられたキーボードまたはポインティングデバイス等の入力装置を備えていてもよい。
【０２８３】
実施の形態１では、スマートホンまたはタブレットコンピュータが制御装置２０として使用される構成例を説明したが、本開示は何らこの構成に限定されない。制御装置２０は、例えば、スマートホンまたはタブレットコンピュータ以外の、マイクロホンを備え、かつ、再生装置１０と通信可能である任意の汎用の装置であってもよい。制御装置２０は、例えば、ラップトップコンピュータであってもよい。
【０２８４】
実施の形態１では、予め決められた複数の周波数ｆを、ｆ＝１００Ｈｚおよび１０ｋＨｚの２つの周波数とする構成例を説明したが、本開示は何らこの構成に限定されない。予め決められた複数の周波数ｆは、３つ以上の互いに異なる周波数であってもよく、１００Ｈｚまたは１０ｋＨｚ以外の周波数であってもよい。
【０２８５】
実施の形態１では、再生装置１０で再生される第１のテスト信号の再生時間が約５秒間に設定された構成例を説明したが、本開示は何らこの構成に限定されない。第１のテスト信号の再生時間は何ら５秒間に限定されるものではなく、５秒より短くてもよく、５秒より長くてもよい。
【０２８６】
実施の形態１では、再生装置１０において繰り返し再生される第２のテスト信号の再生時間が約１０秒間に設定された構成例を説明したが、本開示は何らこの構成に限定されない。第２のテスト信号の繰り返しの再生時間は何ら１０秒間に限定されるものではなく、１０秒より短くてもよく、１０秒より長くてもよい。
【０２８７】
なお、制御装置２０はバッファメモリ（図示せず）を備えていてもよい。制御装置２０のプロセッサ２３は、図１１に示すステップＳ５２を実行して第２のテスト信号を録音しているときに、録音動作が中断されることを防止するために、録音すべき第２のテスト信号を一時的にバッファメモリに記憶してもよい。
【０２８８】
制御装置２０のプロセッサ２３は、ステップＳ５の補正係数設定処理を実行する際に、図１６および図１７に示したグラフと同様のグラフをディスプレイ２９に表示して、再生装置１０における周波数特性の補正の要否をユーザ１０２に確認してもよい。そして、制御装置２０のプロセッサ２３は、その確認に対して行われるユーザ１０２の入力操作、例えばディスプレイ２９のタッチパネルを介して行われるユーザ１０２の入力操作、に応じて、補正係数を再生装置１０に設定するか否かを判断してもよい。また、制御装置２０のプロセッサ２３は、ユーザ１０２の入力操作に基づき、補正係数に変更を加えてもよい。
【０２８９】
制御装置２０のプロセッサ２３は、図１２に示すステップＳ７６を実行する際に、トーンコントロールの再設定の要否をユーザ１０２に確認するメッセージをディスプレイ２９に表示してもよい。そして、制御装置２０のプロセッサ２３は、その確認に対して行われるユーザ１０２の入力操作、例えばディスプレイ２９のタッチパネルを介して行われるユーザ１０２の入力操作、に応じて、再生装置１０にトーンコントロールを再設定するか否かを判断してもよい。
【０２９０】
スマートホンまたはタブレットコンピュータでは、機種毎にマイクロホンの取り付け方法およびマイクロホンの性能の少なくとも一方が互いに異なる場合がある。そのため、制御装置２０としてスマートホンまたはタブレットコンピュータを備える再生システム３０では、スマートホンまたはタブレットコンピュータの機種に応じて、測定された周波数特性に差異が生じる可能性がある。この差異が、スマートホンまたはタブレットコンピュータの機種毎の補正データとして予め取得されてもよい。そして、再生システム３０において周波数特性の測定が行われるときに、制御装置２０のプロセッサ２３が、マイクロホン２５によって取得された第２のテスト信号に対して該当機種の補正データを畳み込む処理を実行して、マイクロホン２５の周波数特性を補正してもよい。
【０２９１】
図６〜図１７を参照して説明した音響補正処理は、制御装置２０のプロセッサ２３によって実行される音響補正プログラムとして制御装置２０に実装されてもよい。音響補正プログラムは、再生装置１０の全体を制御する制御プログラムの一部であってもよい。音響補正プログラムは、スマートホンまたはタブレットコンピュータのためのアプリケーションソフトウエアとして提供されてもよい。
【０２９２】
実施の形態では、第２のテスト信号としてＬＯＧ−ＴＳＰ信号を用いる構成例を説明したが、本開示は何らこの構成に限定されない。第２のテスト信号は、複数の周波数成分を含み、部屋のインパルス応答を測定することができる信号であればよく、例えば、インパルス信号、または白色雑音、等であってもよい。
【０２９３】
実施の形態では、図１において、スピーカ１８を再生装置１０の外部に設ける構成例を示したが、本開示は何らこの構成に限定されない。スピーカ１８は再生装置１０に一体化されていてもよい。
【０２９４】
実施の形態では、制御装置２０が、第２のテスト信号をスピーカ１８から再生するときの音量を計算するように再生システム３０が構成された例を説明したが、本開示は何らこの構成に限定されない。例えば、制御装置２０で取得された第１のテスト信号、または制御装置２０で取得された第１のテスト信号の信号レベルＴ１を、制御装置２０から再生装置１０に送信し、第２のテスト信号をスピーカ１８から再生するときの音量を再生装置１０が計算するように再生システム３０が構成されていてもよい。
【０２９５】
実施の形態では、制御装置２０が、部屋の周波数特性を測定し、再生装置１０に設定する周波数特性の補正係数を計算するように再生システム３０が構成された例を説明したが、本開示は何らこの構成に限定されない。例えば、制御装置２０で取得された第２のテスト信号、または制御装置２０で取得された第２のテスト信号の信号レベルを、制御装置２０から再生装置１０に送信し、再生装置１０に設定される周波数特性の補正係数を再生装置１０が計算するように再生システム３０が構成されていてもよい。
【０２９６】
実施の形態では、再生システム３０を室内に設置してその部屋の周波数特性を測定する構成例を説明したが、再生システム３０が使用される場所は、何ら家屋の室内に限定されない。再生システム３０は、例えば、車内、船舶内、列車内、および航空機内、等の空間においても使用することができる。
【０２９７】
実施の形態で図面に示したブロック図における機能ブロックの分割は、単なる一例に過ぎない。例えば、複数の機能ブロックを１つの機能ブロックとして実現したり、あるいは、１つの機能ブロックを複数に分割したり、または、一部の機能を他の機能ブロックに移したりしてもよい。また、複数の機能ブロックの機能を、単一のハードウェアまたはソフトウェアが、並列に処理してもよく、または時分割に処理してもよい。
【０２９８】
実施の形態で説明した制御方法を制御装置２０のプロセッサ２３に実行させるためのソフトウェアプログラムは、コンピュータまたは制御装置で読み取り可能な記録媒体（例えば、光ディスク、磁気ディスク、磁気テープ、または半導体メモリ、等）に記録して頒布または流通させてもよい。あるいは、そのソフトウェアプログラムを、電気通信回線、無線または有線通信回線、インターネット等のネットワーク、データ放送、等を経由して伝送してもよい。あるいは、独立した他のコンピュータシステムがそのソフトウェアプログラムを実行することで各種処理が実行されてもよい。
【０２９９】
また、そのソフトウェアプログラムを記録したコンピュータ読み取り可能な記録媒体は、本開示の範囲に含まれる。ここで、コンピュータ読み取り可能な記録媒体としては、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリ、等を挙げることができる。
【０３００】
また、上記の各装置を構成する構成要素の一部または全部は、各装置に脱着可能なＩＣカードまたは単体のモジュールから構成されてもよい。
【０３０１】
また、上記の各装置を構成する構成要素の一部または全部は、１つのＬＳＩ（Ｌａｒｇｅ  Ｓｃａｌｅ  Ｉｎｔｅｇｒａｔｉｏｎ：大規模集積回路）で構成されてもよい。
【０３０２】
また、各処理部は、ＬＳＩまたはＩＣに限定されるものではなく、専用回路または汎用プロセッサで実現されてもよい。あるいは、回路構成をプログラムすることが可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続や設定を再構成可能なリコンフィギュラブル・プロセッサで実現されてもよい。
【０３０３】
実施の形態で図面に示したフローチャートにおける各ステップが実行される順序は、単なる一例に過ぎず、実施の形態で説明した順序とは異なる順序で各ステップが実行されてもよい。また、上記ステップの一部が、他のステップと同時に（すなわち、並列に）実行されてもよい。
【０３０４】
以上のように、本開示における技術の例示として、実施の形態を説明した。そのために、添付図面および詳細な説明を提供した。
【０３０５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０３０６】
また、上述の実施の形態は、本開示における技術を例示するためのものであるから、特許請求の範囲またはその均等の範囲において種々の変更、置き換え、付加、省略などを行うことができる。
【産業上の利用可能性】
【０３０７】
本開示は、部屋の周波数特性を測定し、その測定結果に基づいて、再生装置で再生される音の周波数特性を補正する再生システム、制御装置、制御方法、およびプログラムに適用可能である。具体的には、家庭用のオーディオ機器、デジタルテレビジョンセット、ハードディスクレコーダ、光ディスク再生装置、ＡＶアンプ、セットトップボックス、車載オーディオ機器、スマートホン、タブレットコンピュータ、ラップトップコンピュータ、またはその他の携帯端末装置、等に本開示は適用可能である。
【符号の説明】
【０３０８】
１０    再生装置
１１    記憶装置
１２    プロセッサ
１３    通信回路
１４    アンテナ
１５    ソース装置
１６    ＤＳＰ
１７    デジタル／アナログ変換器
１８    スピーカ
２０    制御装置
２１    アンテナ
２２    通信回路
２３    プロセッサ
２４    記憶装置
２５    マイクロホン
２６    アナログ／デジタル変換器
２７    デジタル／アナログ変換器
２８    スピーカ
２９    ディスプレイ
３０    再生システム
１００    部屋
１０１    スピーカ
１０２    ユーザ
１０３    壁
１０４    家具
【図１】
2018211908.tif 000003
【図２】
2018211908.tif 000004
【図３】
2018211908.tif 000005
【図４】
2018211908.tif 000006
【図５】
2018211908.tif 000007
【図６】
2018211908.tif 000008
【図７】
2018211908.tif 000009
【図８】
2018211908.tif 000010
【図９】
2018211908.tif 000011
【図１０】
2018211908.tif 000012
【図１１】
2018211908.tif 000013
【図１２】
2018211908.tif 000014
【図１３】
2018211908.tif 000015
【図１４】
2018211908.tif 000016
【図１５】
2018211908.tif 000017
【図１６】
2018211908.tif 000018
【図１７】
2018211908.tif 000019
【図１８】
2018211908.tif 000020
【図１９】
2018211908.tif 000021
【図２０】
2018211908.tif 000022
【図２１】
2018211908.tif 000023
【図２２】
2018211908.tif 000024
【図２３】
2018211908.tif 000025
【国際調査報告】
2018211908.tif 000026
2018211908.tif 000027